(57)【要約】      （修正有）【課題】使用しやすく、安全でコンパクトな、複数のデバイスを接続するためのケーブルを提供する。【解決手段】ケーブルは、第１のコネクタおよび第２のコネクタと、コードと、を含み、第１のコネクタは、本体部およびプラグ組立体を含み、本体部はＵ字形状であり、第１のプロングと第２のプロングを含み、プラグ組立体は、プラグヘッドと第１のプラグと第２のプラグとを含み、第１と第２のプラグは、それぞれプラグヘッドの反対側に固定され、プラグ組立体は、第１と第２のプロングとの間に回転可能に固定され、軸線の周りに回転できるが、横方向と垂直方向には移動を制限され、第１の位置において、第１のプラグは本体部の境界を越えて延在し、第２のプラグは、第１と第２のプロングとの間に位置付けられ、第１の位置において、第２のプラグは第２のコネクタから電気的に切り離されている。【選択図】図１６
0003223610.tif 000002
【実用新案登録請求の範囲】
【請求項１】
さまざまなデバイスを接続するためのケーブルであって、前記ケーブルは、
第１のコネクタおよび第２のコネクタと、前記第１のコネクタを前記第２のコネクタに接続するコードと、
を含み、
前記第１のコネクタは、本体部およびプラグ組立体を含み、
前記本体部は、前記コードに接続されている第１の端部と、反対側の第２の端部と、を有しており、
前記本体部は、Ｕ字形状になっており、第１のプロングおよび第２のプロングを含み、
前記プラグ組立体は、プラグヘッドと、第１のプラグと、第２のプラグと、を含み、
前記第１のプラグは、前記プラグヘッドに固定されており、前記第２のプラグは、前記プラグヘッドに固定されており、前記第１のプラグは、前記第２のプラグから、前記プラグヘッドの反対側に位置付けられており、
前記プラグ組立体は、前記本体部の前記第１のプロングと前記第２のプロングとの間に回転可能に固定されており、
第１の位置において、前記第１のプラグは、前記本体部の境界を越えて延在しており、前記第２のプラグは、前記本体部の前記第１のプロングと前記第２のプロングとの間に位置付けられており、
第２の位置において、前記第２のプラグは、前記本体部の前記境界を越えて延在しており、前記第１のプラグは、前記本体部の前記第１のプロングと前記第２のプロングとの間に位置付けられており、
前記第１の位置において、前記第２のプラグは、前記第２のコネクタから電気的に切り離されている、ケーブル。
【請求項２】
前記ケーブルは、前記第１のプロング上の第１の開口部、および前記第２のプロング上の第２の開口部と、
前記プラグヘッド上の軸棒と、
をさらに含み、
前記軸棒は、前記第１の開口部および前記第２の開口部の中へ挿入されており、前記プラグ組立体が前記軸棒の周りに回転することができるようになっている、請求項１に記載のケーブル。
【請求項３】
前記第１のプラグは、上側表面および下側表面を含み、前記第１の位置では、前記上側表面が上向きに面しており、前記第２の位置では、前記上側表面が下向きに面している、請求項１に記載のケーブル。
【請求項４】
前記第１のプラグは、第１の幅を有しており、前記第２のプラグは、第２の幅を有しており、前記第１の幅は、前記第２の幅よりも大きい、請求項１に記載のケーブル。
【請求項５】
前記第１のプロングは、第１の上側表面を有しており、前記第２のプロングは、第２の上側表面を有しており、前記第１の位置では、前記プラグヘッドの第１の表面が、前記第１の上側表面および前記第２の上側表面と同一平面上にある、請求項１に記載のケーブル。
【請求項６】
前記第１のプロングは、少なくとも１つの戻り止めを含み、前記プラグヘッドは、前記少なくとも１つの戻り止めと相互作用する少なくとも１つの接続機構を含み、前記少なくとも１つの接続機構の一部分が、前記少なくとも１つの戻り止めの溝部の中に位置している、請求項１に記載のケーブル。
【請求項７】
さまざまなデバイスを接続するためのケーブルであって、前記ケーブルは、
第１のコネクタおよび第２のコネクタと、
前記第１のコネクタと前記第２のコネクタとの間に延在し、前記第１のコネクタを前記第２のコネクタに電気的に接続するコードと、
を含み、
前記第１のコネクタは、第１のプラグ組立体を含み、前記第１のプラグ組立体は、第１のプラグおよび第２のプラグを含み、前記第１のプラグおよび前記第２のプラグは、両方とも第１のプラグヘッドに固定されており、
前記第２のコネクタは、第２のプラグ組立体を含み、前記第２のプラグ組立体は、第３のプラグおよび第４のプラグを含み、前記第３のプラグおよび前記第４のプラグは、両方とも第２のプラグヘッドに固定されており、
前記第１のプラグ組立体は、第１の位置と第２の位置との間で回転可能であり、
前記第２のプラグ組立体は、第３の位置と第４の位置との間で回転可能であり、
前記第１のプラグ組立体が前記第１の位置にあり、前記第２のプラグ組立体が前記第３の位置にあるときに、前記第１のプラグ組立体の前記第１のプラグが、前記第２のプラグ組立体の前記第３のプラグに電気的に接続されている、ケーブル。
【請求項８】
前記第１のプラグ組立体が前記第２の位置にあり、前記第２のプラグ組立体が前記第３の位置にあるときに、前記第１のプラグ組立体の前記第２のプラグが、前記第２のプラグ組立体の前記第３のプラグに電気的に接続されている、請求項７に記載のケーブル。
【請求項９】
前記第１のプラグ組立体が前記第２の位置にあり、前記第２のプラグ組立体が前記第４の位置にあるときに、前記第１のプラグ組立体の前記第２のプラグが、前記第２のプラグ組立体の前記第４のプラグに電気的に接続されている、請求項８に記載のケーブル。
【請求項１０】
前記第１のプラグ組立体が前記第１の位置にあり、前記第２のプラグ組立体が前記第３の位置にあるときに、前記第１のプラグ組立体の前記第２のプラグが、前記第２のプラグ組立体から電気的に切り離されている、請求項７に記載のケーブル。
【請求項１１】
前記第１のコネクタは、第１のプロングおよび第２のプロングを含み、前記第１のプロングは、前記第１のプラグ組立体の第１の側部に隣接して位置付けられており、前記第２のプロングは、前記第１のプラグ組立体の第２の側部に隣接して位置付けられており、前記第１のプロングおよび前記第２のプロングは、前記第１のプラグ組立体と相互作用し、前記第１のプラグ組立体が前記第１のプロングと前記第２のプロングとの間に回転可能に固定されるようになっている、請求項７に記載のケーブル。
【請求項１２】
前記第１のプラグ組立体は、前記第１のコネクタの第１のプロングと第２のプロングとの間に回転可能に固定されており、前記第１のプラグヘッドは、プラグヘッド内部表面を含み、前記第１のプロングは、プロング内部表面を含み、前記プラグヘッド内部表面は、前記プロング内部表面に隣接して位置付けられており、前記第１のプラグは、上向き表面を含み、前記第１のプラグの前記上向き表面は、前記プラグヘッド内部表面および前記プロング内部表面に対して垂直になっている、請求項７に記載のケーブル。
【請求項１３】
さまざまなデバイスとともに使用するためのコネクタであって、前記コネクタは、本体部とプラグ組立体とを含み、
前記本体部は、
第１のプロングおよび第２のプロングであって、前記第１のプロングおよび前記第２のプロングは、互いから間隔を置いて配置されている、第１のプロングおよび第２のプロング
を含み、
前記プラグ組立体は、
第１の側部および反対側の第２の側部を備えたプラグヘッドであって、第１のプラグが、前記プラグヘッドの前記第１の側部に固定されており、第２のプラグが、前記プラグヘッドの前記第２の側部に固定されており、前記第１のプラグは、第１の上側表面を有している、プラグヘッド
を含み、
前記第１のプロングおよび前記第２のプロングは、前記プラグ組立体を回転可能に固定しており、
第１の位置において、前記第１のプラグの前記第１の上側表面が、第１の方向に面しており、第２の位置において、前記第１のプラグの前記第１の上側表面が、反対の第２の方向に面している、コネクタ。
【請求項１４】
前記プラグヘッドは、第３の側部および第４の側部をさらに含み、前記第１の側部は、前記第３の側部と前記第４の側部との間に延在しており、前記第１の側部が前記プラグヘッドの幅を画定するようになっており、前記プラグヘッドの前記幅は、前記第１のプロングと前記第２のプロングとの間の距離と実質的に同様になっている、請求項１３に記載のコネクタ。
【請求項１５】
前記プラグヘッドは、上側表面および反対側に面する下側表面をさらに含み、前記プラグヘッドの前記上側表面と前記プラグヘッドの前記下側表面との間の距離は、前記プラグヘッドの高さを画定しており、また、前記第１のプロングは、上側表面および下側表面を含み、前記第１のプロングの前記上側表面と前記第１のプロングの前記下側表面との間の距離は、前記第１のプロングの高さを画定しており、前記プラグヘッドの前記高さは、前記第１のプロングの前記高さと実質的に同じになっている、請求項１４に記載のコネクタ。
【請求項１６】
前記プラグヘッドの前記上側表面は、前記第１のプロングの前記上側表面と同一平面上にある、請求項１５に記載のコネクタ。
【請求項１７】
前記プラグヘッドは、第１の端部および第２の端部を備えた軸棒を含み、前記第１のプロングは、第１の孔を含み、前記第２のプロングは、第２の孔を含み、前記軸棒の前記第１の端部は、前記第１の孔の中へ挿入されており、前記軸棒の前記第２の端部は、前記第２の孔の中へ挿入されており、前記プラグ組立体は、前記軸棒の周りに回転可能である、請求項１３に記載のコネクタ。
【請求項１８】
前記第１のプラグは、第１のセットのプラグヘッド接点に電気的に接続されており、前記第２のプラグは、第２のセットのプラグヘッド接点に電気的に接続されており、前記第１のプロングは、第１のセットの本体部接点を含み、前記第２のプロングは、第２のセットの本体部接点を含み、
前記第１の位置において、前記第１のセットのプラグヘッド接点は、前記第１のセットの本体部接点に電気的に接続されており、前記第１の位置において、前記第２のセットのプラグヘッド接点は、前記第１のセットの本体部接点および前記第２のセットの本体部接点の両方から電気的に切り離されている、請求項１３に記載のコネクタ。
【請求項１９】
前記第１のセットのプラグヘッド接点は、前記第２のセットのプラグヘッド接点から前記プラグヘッドの反対側に位置付けられている、請求項１８に記載のコネクタ。
【請求項２０】
前記第１の位置において、前記第２のプラグは、前記第１のプロングと前記第２のプロングとの間の開口部の中に位置付けられており、前記第１のプロングの高さは、前記第２のプラグの高さよりも大きくなっており、前記コネクタの側面図において、前記第２のプラグが前記第１のプロングによって遮られるようになっている、請求項１３に記載のコネクタ。
【考案の詳細な説明】
【技術分野】
【０００１】
関連出願の相互参照
本出願は、ＰＣＴ出願であり、このＰＣＴ出願は、２０１７年３月１６日に出願された米国特許出願第１５／４６０，７３１号明細書の優先権を主張しており、これは、２０１６年１０月１８日に出願された米国特許出願第１５／２９６，９７６号明細書の継続出願であり、これは、「Cable with Multiple Electrical Connectors」という標題の２０１６年６月２８日に出願された米国仮特許出願第６２／３５５，５００号明細書の通常出願であり、これらの開示は、全体的に参照により本明細書に組み込まれている。
【０００２】
本開示は、電子ケーブルに関し、より詳細には、充電するために、または、異なる電子デバイスへおよび異なる電子デバイスからデータを伝送するために、端部に複数の電気コネクタを含む電子ケーブルに関する。
【背景技術】
【０００３】
現在、多くの人々は、複数の個人用電子デバイスを所有しており、複数の個人用電子デバイスは、たとえば、携帯電話機、ｍｐ３音楽再生デバイス、デジタルカメラ、タブレット、またはラップトップコンピュータなどであり、これらの電子デバイスを他のデバイスに接続するための異なる電気コネクタおよびソケットを備えている。また、それぞれの個人用電子デバイスと対になるケーブルが、通例の電気ソケット、自動車用コンセント、または予備のバッテリーパックからのパワーアダプタを通した給電および充電のために使用される。それぞれのタイプの電子デバイスは、それ自体の充電器またはデータ同期化ケーブルを伴っており、標準的なコネクタは存在しない。典型的なユーザは、携帯電話機、デジタルカメラ、およびラップトップコンピュータを持ち運ぶ可能性があり、それらは、すべて、異なる電気コネクタを用い、異なる電気コネクタソケットを有している。ビデオまたは画像を共有するために、ユーザが自分のモバイルデバイスをＴＶに接続することを希望するというときが存在する可能性がある。また、電子デバイスのオーディオジャックがユーザのヘッドホンまたはラウドスピーカと互換性がないという場合が存在する可能性がある。これらのさまざまなデバイスが一緒に接続するようにするために、人々は、充電、データ伝送、またはサウンド再生のための複数のケーブルを手元に持っておくか、または、デバイスとともにそれらを持ち運ぶことが要求される。
【０００４】
さまざまなケーブルが、複数の電子デバイスとともに使用するために利用可能である。これらのケーブルは、複数のプラグを含み、複数のプラグは、さまざまな電子デバイスとともに使用するために配置または選択され得る。利用可能なケーブルのうち、多くのものは、複数のアダプタ先端部を含み、複数のアダプタ先端部は、望まれるプラグタイプに応じて、ケーブルに追加されるかまたはケーブルから取り外される。取り外し可能な先端部は、容易に置き忘れられるかまたは失われ、望まれるときに、ユーザが自分の電子デバイスを充電することができない、または、自分の電子デバイスからデータを伝送することができないことになる。また、これらのケーブルは、ヒンジ式のプラグを含むことが可能であり、ヒンジ式のプラグは、ケーブルの範囲の外側に位置付けられ得る。これらのヒンジ式のプラグは、外部物体に引っ掛かりかつ損傷を受ける可能性がある。さらに、利用可能なケーブルの使われていないプラグは、使われていないプラグが格納または設置されている位置に起因して、容易に汚されるまたは汚染される可能性がある。
【考案の概要】
【考案が解決しようとする課題】
【０００５】
さまざまな電子デバイス同士を接続するのに有用であるが、これらの典型的なケーブルは、さまざまな電子デバイスを他の電子デバイスに接続するための簡単で便利な方式を提供していない。使用しやすく、コンパクトであり、複数のデバイス同士を接続し、使用に関して電気的に安全である、ケーブルに対する継続的な要求が存在している。それに加えて、ユーザの既存のヘッドホンまたはラウドスピーカは、異なるポートを有する可能性のある電子デバイスとともに使用するために容易に利用可能であるべきである。個人用電子デバイスの発展し続ける市場において、新しく導入されるデバイスと互換性があるようにされるということが、すべての既存の補助デバイスにとって有用である。
【課題を解決するための手段】
【０００６】
実施形態は、以下の図面および説明を参照して、より良好に理解され得る。図の中のコンポーネントは、必ずしも、正確な縮尺になっているわけではなく、その代わりに、実施形態の原理を図示することに重点が置かれている。そのうえ、図において、同様の参照番号は、異なる図の全体を通して、対応するパーツを指定している。
【図面の簡単な説明】
【０００７】
【図１】ケーブルの実施形態の概略図である。
【図２】コンピュータに接続されているケーブルの実施形態の概略図である。
【図３】コンピュータおよび電子デバイスに取り付けられているケーブルの実施形態の概略図である。
【図４】コンピュータに接続されており、電子デバイスから切り離されている、ケーブルの実施形態の概略図である。
【図５】ＵＳＢデバイスに給電するために差し込まれるパワーブリックを備える電気的な壁ソケットの概略図である。
【図６】プラグ組立体を備えた第１のコネクタの実施形態の拡大概略図である。
【図７】プラグ組立体が部分的に回転させられた位置にある状態の第１のコネクタの実施形態の拡大概略図である。
【図８】プラグ組立体が部分的に回転させられた位置にある状態の第１のコネクタの実施形態の拡大概略図である。
【図９】プラグ組立体が完全に回転させられた位置にある状態の第１のコネクタの実施形態の拡大概略図である。
【図１０】コンピュータに接続されているケーブルの実施形態の概略図である。
【図１１】コンピュータに接続されており、また、異なる電子デバイスに接続されている、ケーブルの実施形態の概略図である。
【図１２】第１のコネクタのプラグ組立体および本体部分の実施形態の分解等角図である。
【図１３】プラグ組立体の実施形態の上面図である。
【図１４】第１のコネクタの本体部分の実施形態の上面図である。
【図１５】第１のコネクタの実施形態の拡大上面図である。
【図１６】ケーブルの代替的な実施形態の図である。
【図１７】さまざまなプラグを示すチャートである。
【図１８】プラグのさまざまな組み合わせを示すチャートである。
【図１９】さまざまなプラグ組み合わせを有するケーブルのさまざまな実施形態を示すチャートである。
【図２０】ケーブルコネクタの別の代替的な実施形態の概略図である。
【図２１】部分的に分解されて示されている、図２０のコネクタの概略図である。
【図２２】プラグ組立体だけが分離した状態の、図２０のコネクタの概略図である。
【図２３】本体部分だけが分離した状態の、図２０のコネクタの概略図である。
【図２４】戻り止め機構の一部分の拡大概略図である。
【図２５】コネクタの戻り止め機構の一部分の概略上面図である。
【図２６】コネクタの別の実施形態の概略図である。
【図２７】さまざまなコネクタを備えたケーブルの代替的な実施形態の概略図である。
【図２８】さまざまなコネクタを備えたケーブルの別の代替的な実施形態の概略図である。
【図２９】コネクタの別の代替的な実施形態の概略図である。
【図３０】コネクタの実施形態の概略分解図である。
【図３１】プラグ組立体の実施形態の概略分解図である。
【図３２】カバー部がない状態のコネクタの実施形態の概略図である。
【図３３】コネクタの実施形態の切断図である。
【図３４】回転させられた配向にあるコネクタの実施形態の切断図である。
【図３５】回転させられた配向にあるコネクタの実施形態の別の切断図である。
【図３６】回転させられた配向にあるコネクタの実施形態の切断図である。
【図３７】回転させられた配向にあるコネクタの実施形態の切断図である。
【考案を実施するための形態】
【０００８】
ここで図１を参照すると、電子コネクタを備えたケーブルが示されている。示されているように、ケーブル１００は、第１のコネクタ１０２および第２のコネクタ１０４を含み、第１のコネクタ１０２および第２のコネクタ１０４は、コード１０６のいずれかの端部に配設されている。いくつかの実施形態では、第１のコネクタ１０２および第２のコネクタ１０４は、さまざまなデバイスに関連して使用するためのさまざまなプラグを含むことが可能である。それぞれのコネクタの中に位置付けられているプラグは、ユニバーサルシリアルバス（ＵＳＢ）などのさまざまな規格に適合していることが可能であり、または、Ａｐｐｌｅ（登録商標），  Ｉｎｃｏｒｐｏｒａｔｅｄなどの、特定の会社と関連付けられるプラグを組み込むことが可能である。他の実施形態では、さまざまな他のプラグが、さまざまなコネクタの中で利用され得る。追加的に、ケーブル１００は、第１のコネクタ１０２と第２のコネクタ１０４との間の一方向のおよび双方向の通信を提供するように構成され得る。
【０００９】
いくつかの実施形態では、コードは、さまざまな異なる屈曲特性を有することが可能である。いくつかの実施形態では、コードは、柔軟性または可撓性を有することが可能である。いくつかの実施形態では、コード１０６は、ゴムタイプ材料または可撓性プラスチックを含むことが可能であり、コード１０６を可撓性または柔軟性にすることを可能にする。また、コード１０６の材料は、コード１０６の中の電気ワイヤのための絶縁体を提供することが可能である。追加的に、いくつかの実施形態では、コード１０６の断面は、実質的に円形であることが可能である。円形断面のコード１０６を有することによって、コード１０６は、おおよそ同じ大きさの力によって、さまざまな軸線に沿って曲げられ得る。すなわち、長方形断面のコードと比較して、円形断面のコード１０６は、特定の方向への曲げには抵抗しない。むしろ、コード１０６は、おおよそ同じ大きさの力が印加されることによって、すべての軸線に沿って曲がることを可能にする。また、円形の断面形状を有するコードは、容易に巻かれて、しまい込まれることが可能である。他の実施形態では、コード１０６は、すべてのまたはいくつかの軸線に沿って曲げを制限するように、異なる断面を有することが可能である。
【００１０】
さらに、コード１０６は、さまざまな長さを有することが可能である。いくつかの実施形態では、コード１０６は、複数フィートの長さであることが可能である。たとえば、コード１０６は、１フィート、３フィート、４フィート、６フィート、または１０フィートの長さであることが可能である。他の実施形態では、コード１０６は、１０フィートよりも長くてもよく、または、１フィートよりも短くてもよい。またさらなる実施形態では、コード１０６は、１フィートから１０フィートの間の距離であることが可能である。
【００１１】
いくつかの実施形態では、第１のコネクタ１０２は、コード１０６に取り付けられるように構成され得る。コード１０６は、電気配線を含むことが可能であり、電気配線は、第１のコネクタ１０２と第２のコネクタ１０４との間で電気信号を伝送する。示されているように、第１のコネクタ１０２は、接続端部５０４においてコード１０６に接続している（図６を参照）。いくつかの実施形態では、コード１０６と接続端部５０４との間の接続部は、はんだ付けされ得るか、溶接され得るか、または、接続端部５０４およびコード１０６は、異なる技法によって、たとえば、ネジ山付きのキャップによって、または、摩擦もしくは他の技法などによって、互いに接続され得る。いくつかの実施形態では、接続端部５０４は、第１のコネクタ１０２の残りの部分よりも幅が狭くなっていてもよい。すなわち、接続端部５０４は、第１のコネクタ１０２の他の部分の断面よりも小さい断面を有することが可能である。
【００１２】
いくつかの実施形態では、コネクタは、異なる量のプラグを含むことが可能である。他の実施形態では、それぞれのコネクタは、２つ以上のプラグを含むことが可能である。図１に示されているように、第１のコネクタ１０２は、２つのプラグを含み、一方、第２のコネクタ１０４は、単一のプラグを含む。他の実施形態では、第２のコネクタ１０４は、より大きい数のプラグを含むことが可能である。しかし、説明をしやすくするために、本明細書で説明されている実施形態では、第２のコネクタ１０４は、単一のプラグを含む。
【００１３】
いくつかの実施形態では、それぞれのコネクタは、異なるタイプのプラグ、または、異なる形状を有するプラグを含むことが可能である。他の実施形態では、コネクタは、同じタイプまたは構成のプラグを含むことが可能である。図１に示されているように、第１のコネクタ１０２は、第１のプラグ１０８および第２のプラグ１１０を含む。示されているように、第１のプラグ１０８は、ｍｉｃｒｏ−ＵＳＢ  Ｂ−タイプなどの、ＵＳＢ規格に適合していることが可能であり、一方、第２のプラグ１１０は、別の規格に適合していることが可能であり、または、Ａｐｐｌｅ（登録商標）のＬｉｇｈｔｎｉｎｇ（登録商標）コネクタなどの特定の会社に関連付けられていることも可能である。第２のコネクタ１０４は、第３のプラグ１１２を含む。図１に示されているように、第３のプラグ１１２は、ＵＳＢ  Ａ−タイプのプラグである。他の実施形態では、さまざまな他のプラグが、第３のプラグ１１２として利用され得る。さらに、いくつかの実施形態では、雌型接続も利用され得る。それに加えて、いくつかの実施形態では、コネクタは、雄型であるプラグと、雌型構成をしている第２のプラグと、を含むことが可能である。コネクタのプラグは、雌型プラグおよび雄型プラグのさまざまな組み合わせを含むことが可能である。
【００１４】
ここで図２〜図４を参照すると、ケーブル１００は、コンピュータ２００に関連して使用され得る。ラップトップコンピュータとして示されているが、コンピュータ２００以外の他のデバイスも、ケーブル１００に関連して使用され得るということが認識されるべきである。他のデバイスは、ケーブル１００のプラグと互換性がある電気接続部を含むさまざまなタイプの電気デバイス、たとえば、テレビ、ゲームコンソール、または他の電子デバイスなどを含むことが可能である。さらに、他の実施形態では、１１０ボルトプラグなどの電気プラグは、ケーブル１００のプラグと互換性があるさまざまなソケットまたはレセプターを含むことが可能である。
【００１５】
いくつかの実施形態では、コンピュータ２００は、さまざまなプラグを受け入れるためのさまざまなソケットを有することが可能である。図２〜図４に示されている実施形態では、コンピュータ２００は、ＵＳＢ  Ａ−タイプのプラグと互換性がある受け入れソケットを有することが可能である。第２のコネクタ１０４の第３のプラグ１１２（見ることができない）は、コンピュータ２００のソケットの中へ挿入され得、それによって、第３のプラグ１１２とコンピュータ２００のソケットとを電気的に接続している。本明細書で使用されているように、「電気的に接続されている」という用語は、さまざまな電気コンポーネントの場所の配向を説明するために使用され、コンポーネントが電流を伝送するように構成されるようになっている。たとえば、第３のプラグ１１２およびコンピュータ２００のソケットが電気的に接続されるようにするために、電流または電子は、コンピュータ２００のソケットから第３のプラグ１１２へ通っている必要はない。むしろ、第３のプラグ１１２は、コンピュータ２００のソケットの中へ挿入され、電流または電子を受け取るように構成され得る。この構成では、第３のプラグ１１２は、コンピュータ２００のソケットに電気的に接続され得る。
【００１６】
とりわけ図２を参照すると、２つの異なる電子デバイス、すなわち、第１のデバイス２０２および第２のデバイス２０４が示されている。いくつかの実施形態では、デバイスは、セルラーフォン、タブレット、ゲームコンソール、または、任意の他の適切な電子デバイスであることが可能である。いくつかの実施形態では、第１のデバイス２０２および第２のデバイス２０４は、異なる形状、サイズ、またはタイプのプラグを受け入れるように構成されているソケットを含むことが可能である。示されているように、第１のデバイス２０２は、ｍｉｃｒｏＵＳＢ  Ｂ−タイプのプラグを受け入れるためのソケットを含む。それとは対照的に、第２のデバイス２０４は、Ｌｉｇｈｔｎｉｎｇ（登録商標）タイプのプラグを受け入れるためのソケットを含む。他の実施形態では、電子デバイスは、さまざまなタイプのソケットを含むことが可能である。
【００１７】
いくつかの実施形態では、デバイスは、さまざまな理由のために、コンピュータ２００の中へ差し込まれ得る。ユーザは、コンピュータ２００へデータを送ること、デバイスを充電すること、コンピュータからデータを取り込むこと、または、多くの他の理由を希望する可能性がある。一般的に、データ信号または電力は、ケーブル１００を通して送受信され得る。追加的に、前述したように、デバイスは、デバイスを充電するために、アウトレットアダプタの中へ差し込まれ得る。
【００１８】
図３に示されているように、第１のコネクタ１０２の第１のプラグ１０８（見ることができない）は、第１のデバイス２０２のソケットの中へ差し込まれ得る。第１のデバイス２０２が、ケーブル１００に接続されており、ひいては、コンピュータ２００に接続されている間に、ユーザは、特定のタスクを実施することが可能である。所望のアクションが完了すると、第１のデバイス２０２は、ケーブル１００の第１のコネクタ１０２の第１のプラグ１０８から取り外されるかまたは切り離され得る。図４に示されているように、第１のデバイス２０２は、ケーブル１００から切り離されている。
【００１９】
いくつかの用途では、ケーブルは、単に、デバイスに給電またはデバイスを充電するために使用され得る。コンピュータ２００に接続されることが以前に示されているが、ケーブル１００は、壁ソケットアダプタにも接続され得る。図５は、第３のプラグ１１２（ＵＳＢ  Ａ−タイプコネクタとして示されている）を受け入れるパワーブリックを備えた従来の壁ソケットを図示している。その理由は、これが、典型的な給電および充電構成であるからである。電源は、壁ソケットの代わりに、予備のバッテリーパックであることが可能であるが、ソケットアダプタ５２３の構成は、同じかまたは類似していることが可能である。示されているように、第２のコネクタ１０４の第３のプラグ１１２は、ソケットアダプタ５２３の中のソケットの中へ挿入され得る。したがって、ケーブル１００は、ソケットアダプタ５２３に電気的に接続され得る。本考案のケーブルの１つの基礎的な使用は、従来の壁ソケットまたはバッテリーパックから複数のデバイスが充電または給電されることを可能にするということである。すなわち、第１のコネクタ１０２は、第１のプラグ１０８と第２のプラグ１１０との間で回転させることによって、さまざまな電気デバイスとソケットアダプタ５２３を接続するために利用され得る。
【００２０】
いくつかの実施形態では、ユーザは、前述したように、第２のデバイス２０４を、ケーブル１００に、そして、コンピュータ２００またはソケットアダプタ５２３のいずれかに接続することを希望する可能性がある。たとえば、ユーザは、第２のデバイス２０４を充電すること、または、第２のデバイス２０４を使用してデータを送受信することを希望する可能性がある。しかし、いくつかの実施形態では、第２のデバイス２０４は、第１のプラグ１０８と互換性がないソケットまたは接続機構を有する可能性がある。したがって、第２のデバイス２０４をケーブル１００に接続するために、第１のコネクタ１０２のプラグが回転させられ得、第２のプラグ１１０が第２のデバイス２０４に接続可能となるように構成され得るようになっている。
【００２１】
いくつかの実施形態では、さまざまなコネクタの中のプラグは、アクセス可能であるために回転または枢動することが可能である。図６〜図９に示されているように、第１のプラグ１０８および第２のプラグ１１０は回転することが可能であり、第２のプラグ１１０がさまざまなデバイスに接続され得るようになっている。示されているように、第２のプラグ１１０および第１のプラグ１０８は、軸線５００の周りに回転または枢動することが可能であり、場所を交換し、第２のプラグ１１０が第１のコネクタ１０２の本体部５０２の範囲または境界の外側に露出されるようになっている。したがって、第２のプラグ１１０は回転させられ得、第２のプラグ１１０が電子デバイスに接続可能となるように構成されるようになっている。いくつかの実施形態では、図６〜図９に示されているように、第１のプラグ１０８および第２のプラグ１１０は、軸線５００の周りに１８０度回転することが可能である。図１０および図１１に示されているように、回転させられると、第２のプラグ１１０は、ここで、第２のデバイス２０４の中へ差し込まれ得る。この接続された構成では、第２のデバイス２０４は、ここで、コンピュータ２００と通信することが可能であり得、または、ソケットアダプタ５２３によって充電され得る。こうして、複数の受け入れソケットを備えたデバイスが、同じケーブルによって、コンピュータまたは電気ソケットに接続可能であり得る。したがって、複数のデバイスを充電するか、または、その他の方法で複数のデバイスとともに使用するために必要となり得る、ケーブルまたはアダプタ部品の数が低減され得る。
【００２２】
いくつかの実施形態では、プラグは、さまざまなコネクタの中で異なる配向に位置決め可能であり得る。具体的には図６を参照すると、第１のコネクタ１０２の拡大図が示されている。この構成では、ケーブル１００は、第１のプラグ１０８に対応するソケットを備えた電子デバイスを受け入れるように構成され得る。すなわち、ケーブル１００は、図１〜図４に示されているものと同じ構成になっていることが可能である。図６に示されているように、第１のプラグ１０８は、ケーブル１００の残りの部分に電気的に接続され得、したがって、使用のために準備のできた状態になっていることが可能である。追加的に、第１のプラグ１０８は、第２のコネクタ１０４に電気的に接続され得る。しかし、図６に示されているような構成では、第２のプラグ１１０は、しまい込まれたまたは格納された位置にあることが可能であり、また、ケーブル１００の残りの部分に電気的に接続されていないかまたは電気的に切り離されていることが可能であり、したがって、使用または動作のために準備ができていない可能性がある。図７および図８に示されているように、第１のプラグ１０８または第２のプラグ１１０のいずれも、使用のための準備ができていない可能性がある。その理由は、いずれも、そのような構成では、ケーブル１００の残りの部分に電気的に接続されていない可能性があるからである。しかし、図１０に示されているように、第２のプラグ１１０は、使用のための準備ができており、ケーブル１００の残りの部分に電気的に接続され得る。図１０に示されている構成では、第１のプラグ１０８は、格納された構成になっており、ケーブル１００に電気的に接続されておらず、したがって、使用のための準備ができていない。第１のプラグ１０８および第２のプラグ１１０の電気接続部は、この詳細な説明において、後でさらに詳細に説明されている。また、電気接続部は、図１２〜図１５に示されている。
【００２３】
いくつかの実施形態では、格納されたプラグは、見ることができ、露出され得る。図６に示されているように、第２のプラグ１１０は、キャビティまたは開口部５０１を通して見ることができる。第２のプラグ１１０は、格納された構成において電気的に接続されていないので、第２のプラグ１１０は露出されていてもよい。第２のプラグ１１０が露出され得るようにケーブル１００を設計することによって、格納された構成において、充電されるかまたは電気的に接続されるプラグを含む他の構成のものよりも、少ない材料が必要とされることが可能である。それは、充電されないかまたは電気的に接続されないプラグが、保護ケースまたはカバー部を必要としないことが可能であるからである。
【００２４】
いくつかの実施形態では、第１のコネクタ１０２は、接続可能なプラグを支持および固定するための手段を含むことが可能である。いくつかの実施形態では、接続端部５０４の反対側の第１のコネクタ１０２の端部は、ケーブル１００をさまざまなデバイスに接続するためのプラグを備えて構成され得る。いくつかの実施形態では、第１のコネクタ１０２の本体部５０２は、Ｕ字形状の構成を有することが可能であり、Ｕ字形状の構成は、第１のコネクタ１０２のさまざまなプラグを支持することを容易にすることが可能である。示されているように、本体部５０２は、開口部５０１を含み、開口部５０１は、第１のコネクタ１０２の本体部５０２の第１のプロング５０６と第２のプロング５０８との間に延在している。図６に示されているように、第２のプラグ１１０は、第１のプロング５０６と第２のプロング５０８との間の開口部５０１の中に位置していることが可能である。
【００２５】
いくつかの実施形態では、第１のプロング５０６および第２のプロング５０８は、さまざまなプラグの幅を収容するために、互いから間隔を置いて配置され得る。図７に最良に見られるように、第１のプロング５０６は、第２のプロング５０８から距離５１０だけ間隔を置いて配置されている。距離５１０は、第１のプラグ１０８の幅５２８（図６を参照）以上になっていることが可能である。また、距離５１０は、第２のプラグ１１０の幅５３０（図９を参照）以上になっていることが可能である。いくつかの実施形態では、第１のプラグ１０８および第２のプラグ１１０の幅は、互いに異なっていてもよい。したがって、第１のプロング５０６と第２のプロング５０８との間の距離は、第１のプラグ１０８の幅５２８または第２のプラグ１１０の幅５３０のうちの大きい方以上になっていることが可能である。第１のプロング５０６を第２のプロング５０８から距離５１０だけ間隔を離して配置することによって、第１のプロング５０６と第２のプロング５０８との間の開口部５０１は、第１のプラグ１０８および第２のプラグ１１０の両方を収容するのに十分に大きくなっていることが可能である。
【００２６】
コネクタのプロングは、とりわけ間隔を置いて配置され、他の従来のコネクタと比較したときに、コネクタの全体的な高さを低減させるかまたは維持することが可能である。第１のコネクタ１０２の第１のプロング５０６および第２のプロング５０８は、間隔を置いて配置されており、第１のコネクタ１０２の全体的な幅が、高さよりも影響を受け得るようになっている。第１のプラグ１０８および第２のプラグ１１０が取り付けられているプラグヘッド５１４は、プラグヘッド５１４を幅方向に通過する軸線５００の周りに回転するように構成されているので、第１のプロング５０６および第２のプロング５０８は、プラグヘッド５１４の高さおよびさまざまなプラグの高さに関してというよりもむしろ、プラグヘッド５１４およびさまざまなプラグの幅に関して、間隔を置いて配置されている。電子デバイスは、時間の経過とともに薄くなってきた（たとえば、ＭａｃＢｏｏｋ（登録商標）Ａｉｒ（登録商標））。しかし、多くの電子デバイスの幅は、低減されてきていない。たとえば、ラップトップコンピュータの幅は、比較的に一定のままになっているかまたはそれに類似している。ラップトップコンピュータの高さまたは厚さは、劇的に変化してきており、いくつかのラップトップコンピュータのキーボードが、ＵＳＢ  Ａ−タイプのプラグの厚さを辛うじて受け入れることができるようになっている。第１のコネクタ１０２の側部に沿って第１のコネクタ１０２の第１のプロング５０６および第２のプロング５０８を設置することによって、第１のコネクタ１０２の高さは、他の従来の接続デバイスと比較して、増加させられないことが可能である。第１のコネクタ１０２の高さプロファイルを低減させることによって、第１のコネクタ１０２は、第１のコネクタ１０２が接続されている電子デバイスの高さプロファイルを越えて延在しないことが可能である。これは、第１のコネクタ１０２がさまざまな外部物体に引っ掛かることを防止することが可能であり、また、電子デバイスに接続されているときにきれいな外見を維持することが可能である。さらに、プロングを幅方向に配向させることによって、プロングが下側表面上でこすられる場合が低減され得る。
【００２７】
いくつかの実施形態では、本体部５０２のさまざまな高さ構成が利用され得る。いくつかの実施形態では、本体部５０２の高さは、プラグが本体部５０２の範囲の中に位置付けられ得るように、十分に大きくなっていることが可能である。すなわち、本体部５０２の開口部５０１の中で回転させられると、プラグは、第１のコネクタ１０２の側面から見ることができないことが可能である。たとえば、図６を参照すると、第２のプラグ１１０は、第１のコネクタ１０２の側面から見ることができないことが可能である。いくつかの実施形態では、本体部５０２の高さ５１２は、第２のプラグ１１０の高さ５４０（図９を参照）よりも大きくなっていることが可能であり、また、第１のプラグ１０８の高さ５３８（図６を参照）よりも大きくなっていることが可能である。そのような構成では、第１のプラグ１０８が本体部５０２のキャビティ５０１の中へ回転させられると、第１のプラグ１０８は、第１のコネクタ１０２の側面から見ることができないことが可能である。同様に、第２のプラグ１１０が本体部５０２のキャビティ５０１の中へ回転させられると、第２のプラグ１１０は、第１のコネクタ１０２の側面から見ることができないことが可能である。第１のコネクタ１０２の本体部５０２の範囲の中に、格納されたプラグを閉じ込めることによって、使用されていないプラグは、外部物体に引っ掛かることから保護され得る。さらに、第１のコネクタ１０２は、本体部５０２の範囲の中に使用されていないプラグを固定することによって、魅力的な外見を有することが可能である。実質的に一定の高さとして示されているが、いくつかの実施形態では、第１のコネクタ１０２の本体部５０２は、テーパーとなっていてもよく、または、高さの変化を有していてもよい。しかし、示されているように、かつ、説明をしやすくするために、本体部５０２は、実質的に一定の高さの高さ５１２を有することが可能である。
【００２８】
いくつかの実施形態では、コネクタは、プラグヘッドを含むことが可能であり、それぞれのプラグは、プラグヘッドに固定され得る。いくつかの実施形態では、プラグヘッドは、それぞれのプラグに対応する電気接続部を含むことが可能である。図６〜図９に示されているように、第１のコネクタ１０２は、プラグヘッド５１４を含む。示されているように、第１のプラグ１０８および第２のプラグ１１０は、プラグヘッド５１４に接続されている。いくつかの実施形態では、プラグヘッド５１４は、第１のプラグ１０８と第２のプラグ１１０との間に位置付けられ得る。すなわち、いくつかの実施形態では、第１のプラグ１０８および第２のプラグ１１０は、プラグヘッド５１４の両側に位置付けられ得る。図６〜図９に示されているように、第１のプラグ１０８および第２のプラグ１１０は、おおよそ平行になっており、第１のコネクタ１０２の本体部５０２と一直線になっていることが可能である。さらに、第１のプラグ１０８および第２のプラグ１１０は、実質的に互いに一直線になっていることが可能である。他の実施形態では、第１のプラグ１０８および第２のプラグ１１０は、プラグヘッド５１４の隣接する側部に位置付けられ得る。第１のプラグ１０８および第２のプラグ１１０ならびにプラグヘッド５１４の組み合わせは、プラグ組立体５５０と称され得る。
【００２９】
いくつかの実施形態では、プラグヘッドは、さまざまな形状を有することが可能である。いくつかの実施形態では、プラグヘッドは、矩形または立方体の形状をしていることが可能である。他の実施形態では、プラグヘッドは、円筒形状であることが可能である。またさらなる実施形態では、プラグヘッドは、楕円形形状であるかまたは他の形状であることが可能である。図６〜図９に示されているように、プラグヘッド５１４は、実質的に立方体形状になっている。準備位置へと回転させられると、プラグヘッド５１４は、第１のコネクタ１０２の本体部５０２と整列することが可能である。すなわち、プラグヘッド５１４の第１の表面５１６は、第１のコネクタ１０２の本体部５０２の上側表面５１８と整列することが可能であり、滑らかなまたは同一平面上の表面が形成されるようになっている。追加的に、いくつかの実施形態では、プラグヘッド５１４の第１の湾曲した表面５２０は、第１のプロング５０６の上側の湾曲した表面５２２、および、第２のプロング５０８の上側の湾曲した表面５２４と整列することが可能である。さらに、いくつかの実施形態では、プラグヘッド５１４の第２の表面５２６は、第１のプロング５０６の端部表面５３２、および、第２のプロング５０８の端部表面５３４と整列することが可能である。この構成では、同一平面上のまたは平らな表面が、プラグヘッドの第２の表面５２６と第１のプロング５０６の端部表面５３２および第２のプロング５０８の端部表面５３４との間に形成され得る。いくつかの実施形態では、プラグヘッド５１４の他の表面と本体部５０２のプロングの表面との間の同様の整列が、存在することが可能である。たとえば、第１のプラグ１０８がしまい込まれたまたは格納された位置になるように、プラグ組立体５５０が回転させられると、本体部５０２の上側表面５１８は、同様に、プラグヘッド５１４の上向きの表面と整列させられ得る。そのうえ、本体部５０２のプロングの下側表面は、同様に、プラグヘッド５１４の表面と整列することが可能である。プラグヘッド５１４の複数の表面を本体部５０２の表面と整列させることによって、第１のコネクタ１０２は、きれいなかつ磨かれた見た目を有することが可能である。追加的に、表面の整列は、第１のコネクタ１０２のさまざまな部分の上に破片が蓄積することを防止することを容易にすることが可能である。追加的に、破片が蓄積する場合には、表面を整列させることは、洗浄プロセスを容易にすることが可能である。その理由は、表面の整列が、第１のコネクタ１０２の割れ目の数を低減させることが可能であるからである。さらに、表面を整列させることは、また、第１のコネクタ１０２の一部分が外部物体に引っ掛かる可能性を低減させることが可能である。
【００３０】
いくつかの実施形態では、プラグ組立体５５０のプラグは、使用の間のプラグ組立体５５０の回転を制限するように位置決めされ得る。いくつかの実施形態では、プラグがソケットの中へ挿入されているときに、第２のプロング５０８の端部表面５３４および第１のプロング５０６の端部表面５３２は、プラグが挿入されるデバイスに当接することが可能となるように、プラグ組立体５５０のプラグは位置決めされ得る。たとえば、図３の使用において示されているように、第２のプロング５０８の端部表面５３４および第１のプロング５０６の端部表面５３２は、第１のデバイス２０２の表面に当接することが可能である。本体部５０２の端部表面が、第１のコネクタ１０２が挿入されるデバイスの表面に当接するように、第１のコネクタ１０２を設計することによって、第１のコネクタ１０２の安定性は、他の実施形態と比較したときに増加することが可能である。本体部５０２の端部表面が第１のデバイス２０２の表面に当接するので、第１のコネクタ１０２の回転は制限され得る。したがって、プラグヘッド５１４の回転も制限され得る。プラグ組立体５５０の回転を制限することによって、回転によるプラグの偶発的な電気的な切り離しが低減され得る。
【００３１】
いくつかの実施形態では、プラグヘッドの幅は、コネクタの本体部のプロング同士の間の距離と実質的に同様であることが可能である。図６〜図９に示されているように、プラグヘッド５１４の幅５３６（図９を参照）は、第１のプロング５０６と第２のプロング５０８との間の距離５１０（図７を参照）と実質的に同様であることが可能である。本体部５０２のプロング同士の間の距離と同様になるようにプラグヘッド５１４の幅をサイズ決めすることによって、プラグヘッド５１４から本体部５０２のプロング同士の間に延在している、滑らかなかつ実質的に平面的な表面が形成され得る。また、第１のプロング５０６と第２のプロング５０８との間にプラグヘッド５１４が緊密にフィットされる性質は、第１のコネクタ１０２の一部分が外部物体に引っ掛かる可能性を低減させることが可能である。さらに、同一平面上の表面は、プラグヘッド５１４と第１のプロング５０６および第２のプロング５０８の内部表面との間に、塵または破片が蓄積することを防止することを容易にすることが可能である。
【００３２】
いくつかの実施形態では、本体部５０２の開口部５０１の長さまたは深さは、とりわけ、異なるプラグを収容するようにサイズ決めされ得る。図６〜図９に示されているように、開口部５０１の長さ５４２（図７を参照）は、プラグヘッド５１４の長さ、および、第１のプラグ１０８または第２のプラグ１１０の長さを収容するために十分に大きくなっていることが可能である。いくつかの実施形態では、第１のプラグ１０８および第２のプラグ１１０は、同じ長さを有していなくてもよい。したがって、長さ５４２は、第１のプラグ１０８および第２のプラグ１１０のうちの最も長いものならびにプラグヘッド５１４を収容するために十分に長くなっていることが可能である。いくつかの実施形態では、プラグヘッド５１４は、プラグの異なる長さを収容するように位置決めされ得る。たとえば、プラグヘッド５１４は、第１のプラグ１０８または第２のプラグ１１０のいずれかが開口部５０１の中にフィットするための追加的なスペースを提供するために、プロングの端部表面に向けて位置決めされ得る。
【００３３】
いくつかの実施形態では、特定の構成では、プラグが当接するプラグヘッド５１４の表面が、プロングの端部表面と整列しなくてもよいように、プラグヘッド５１４は位置決めされ得る。たとえば、いくつかの実施形態では、第２の表面５２６は、第１のプロング５０６の端部表面５３２を越えて、かつ、第２のプロング５０８の端部表面５３４を越えて位置決めされ得る。プラグヘッド５１４は、そのような構成で位置決めされ得、第２のプラグ１１０が使用中でないときに、第２のプラグ１１０が開口部５０１の中にフィットするために十分な距離を可能にするようになっている。本体部５０２の中のプラグヘッド５１４の位置を変化させることによって、より大きいまたはより小さい距離が、使われていないプラグのために提供され得る。
【００３４】
いくつかの実施形態では、格納されたもしくは使用されていない位置から、または、その位置へ、プラグが移動させられると、プラグのさまざまな表面の配向が変化することが可能である。とりわけ図６を参照すると、第１のプラグ１０８の上側表面５４６は、上向きに面しており、第１のプラグ１０８の下側表面５４７（見ることができない）は、下向きに面している。プラグ組立体５５０が、図６〜図９に示されているように回転させられると、第１のプラグ１０８の表面の配向が変化する。ここで図９を参照すると、第１のプラグ１０８の下側表面５４７は、ここで、上向きに面しており、上側表面５４６（見ることができない）は、下向きに面している。いくつかの実施形態では、さまざまな構成が、第１のプラグ１０８の下側表面５４７上に配置され、磨かれたまたはきれいな外見を第１のコネクタ１０２に提供することが可能である。追加的に、第２のプラグ１１０に関する情報が、下側表面５４７上に配置され得る。対応するソケットの中へ第２のプラグ１１０を容易に挿入することを容易にするために、情報は、第２のプラグ１１０のどの表面が上側表面になっているかということの識別を含むことが可能である。
【００３５】
ここで図１２〜図１５を参照すると、第１のコネクタ１０２、および、第１のコネクタ１０２の部分のさまざまな図が示されている。とりわけ図１２を参照すると、第１のコネクタ１０２の本体部５０２が、プラグ組立体５５０から別々に示されている。示されているように、プラグ組立体５５０は、第１のプラグ１０８、第２のプラグ１１０、およびプラグヘッド５１４を含む。追加的に、図１２は、また、本体部５０２の切断図を含み、第１のプロング５０６の内部表面および第２のプロング５０８の内部表面を見ることができるようになっている。
【００３６】
いくつかの実施形態では、特定のコネクタのプラグは、コネクタの他の部分に対してさまざまな配向に位置決めされ得る。たとえば、図１２に示されているように、プラグヘッド５１４は、内部表面５９０を含む。追加的に、第２のプロング５０８は、内部表面５９２を含む。組み立てられると、プラグヘッド５１４の内部表面５９０は、第２のプロング５０８の内部表面５９２と整列させられており、第２のプロング５０８の内部表面５９２に実質的に平行になっている。第２のプラグ１１０の上側表面５９４が、第２のプロング５０８の内部表面５９２およびプラグヘッド５１４の内部表面５９０に対して実質的に垂直となるように、第２のプラグ１１０の上側表面５９４は配向され得る。この配向では、上側表面５９４は、第２のプロング５０８の内部表面５９２およびプラグヘッド５１４の内部表面５９０に対して実質的に垂直になっているままであることが可能であるが、プラグ組立体５５０が回転させられ得る。
【００３７】
いくつかの実施形態では、プラグ組立体５５０は、プラグ組立体５５０と本体部５０２とを接続または接合することを容易にする特徴を含むことが可能である。いくつかの実施形態では、プラグ組立体５５０は、ロッドまたは第１の軸棒５５２を含むことが可能であり、ロッドまたは第１の軸棒５５２は、プラグ組立体５５０と本体部５０２とを固定することを支援することが可能である。追加的に、第１の軸棒５５２は、また、プラグ組立体５５０が本体部５０２に対して回転することを可能にすることを支援することも可能である。いくつかの実施形態では、第１の軸棒５５２は、プラグヘッド５１４の一方の側から他方の側へプラグヘッド５１４を通って延在することが可能である。他の実施形態では、複数の軸棒が利用され得る。たとえば、図１３に示されているように、第１の軸棒５５２が、プラグヘッド５１４の第１の側に沿って位置付けられており、第２の軸棒５５３が、プラグヘッド５１４の反対側に位置付けられている。いくつかの実施形態では、第１の軸棒５５２および第２の軸棒５５３は、別々の部品であることが可能である。いくつかの実施形態では、第１の軸棒５５２および第２の軸棒５５３は、プラグヘッド５１４の本体部と共成形(co-molded)または共形成(co-formed)され得る。またさらなる実施形態では、第１の軸棒５５２および第２の軸棒５５３は、プラグヘッド５１４が形成された後にプラグヘッド５１４に取り付けられる別個の部品であることが可能である。
【００３８】
いくつかの実施形態では、プラグ組立体５５０の軸棒は、本体部５０２の中の対応する陥凹部、開口部、または孔部と相互作用することが可能である。図１２に最良に示されているように、第１のプロング５０６は、第１の開口部５６２を含み、第２のプロング５０８は、第２の開口部５６３を含む。第１の開口部５６２および第２の開口部５６３のサイズおよび深さは、プラグ組立体５５０の軸棒のサイズおよび深さに対応することが可能である。いくつかの実施形態では、第１の開口部５６２は、第１のプロング５０６を通って延在することが可能であり、第２の開口部５６３は、第２のプロング５０８を通って延在することが可能である。しかし、示されているように、第１の開口部５６２は、第１のプロング５０６を通って部分的に延在しており、第２の開口部５６３は、第２のプロング５０８を通って部分的に延在している。したがって、開口部のそれぞれは、有底の孔部であると考えられ得る。
【００３９】
いくつかの実施形態では、第１の軸棒５５２は、第１の開口部５６２の中に位置決めされ得、第２の軸棒５５３は、第２の開口部５６３の中に位置決めされ得る。いくつかの実施形態では、本体部５０２と組み立てられると、プラグ組立体５５０は、軸棒の周りにスピンまたは回転することが可能であり得る。すなわち、軸棒および開口部の接続部の中に十分なスペースまたはクリアランスが存在することが可能であり、プラグ組立体５５０が自由に回転させられることを可能にする。
【００４０】
いくつかの実施形態では、本体部５０２は、一緒に組み立てられると、プラグ組立体５５０を保持または支持することが可能である。いくつかの実施形態では、本体部５０２は、スプリングのような効果をプラグ組立体５５０に提供することができる弾性材料から形成され得る。たとえば、第１のプロング５０６および第２のプロング５０８は、プラグ組立体５５０を圧迫することが可能であり、第１の軸棒５５２が第１の開口部５６２から抜け落ちないように、かつ、第２の軸棒５５３が第２の開口部５６３から抜け落ちないようになっている。したがって、本体部５０２の弾性性質は、プラグ組立体５５０を本体部５０２と回転可能に固定することが可能であり、それによって、プラグ組立体５５０が開口部５０１を通って自由に回転することも可能にしながら、プラグ組立体５５０が抜け落ちることを防止する。この詳細な説明において使用されているように、「回転可能に固定する」は、物体または部分が軸線の周りに回転することができる状態を説明するために使用されている。しかし、要素は、物体が回転可能に固定されている部分に対して、横方向にまたは垂直方向に移動しないように制限されている。図１２に示されているように、プラグ組立体５５０は、第１の軸棒５５２の周りに回転することができるように構成されている。しかし、プラグ組立体５５０は、本体部５０２に対して横方向にまたは垂直方向に移動しないように制限されている。
【００４１】
いくつかの実施形態では、本体部５０２は、異なる材料から構成され得る。いくつかの実施形態では、本体部５０２は、スプリングのような弾性材料および絶縁材料を含むことが可能である。示されているように、本体部５０２は、内部部分５４４および外部部分５４５を含む。いくつかの実施形態では、内部部分５４４は、絶縁材料、たとえば、ゴムまたはプラスチック材料などを含むことが可能である。内部部分５４４は、開口部５０１の周りに延在することが可能であり、プラグ組立体５５０および外部部分５４５に隣接して配設され得る。内部部分５４４は、電気ワイヤを位置付けするためのエリアまたはスペースを提供することが可能である。外部部分５４５は、本体部５０２の外部部分に沿って位置付けられ得る。外部部分５４５は、弾性材料、たとえば、アルミニウム、スチール、プラスチック、または他の材料などから形成され得る。外部部分５４５は、スプリングのような圧縮力をプラグ組立体５５０に提供することを容易にすることが可能である。追加的に、外部部分５４５は、第１のコネクタ１０２のさまざまな部分を保護することが可能である。
【００４２】
いくつかの実施形態では、プラグ組立体５５０および本体部５０２は、本体部５０２に対して特定の配向で適切な場所にプラグ組立体５５０を固定するための手段を含むことが可能である。いくつかの実施形態では、手段は、さまざまな構成で第１のプラグ１０８および第２のプラグ１１０を配向させるように構成され得る。したがって、プラグ組立体５５０は、使用の間のプラグ組立体５５０の任意の非意図的な回転に抵抗することが可能である。いくつかの実施形態では、手段は、プラグが本体部５０２の長さに対して実質的に平行となるように、プラグを配向させることが可能である。たとえば、図９において見られるように、第２のプラグ１１０は、実質的に平行の様式で本体部５０２から離れるように延在する。
【００４３】
いくつかの実施形態では、戻り止め機構が、特定の配向にプラグ組立体５５０を固定するために使用され得る。いくつかの実施形態では、プラグヘッド５１４および本体部５０２上の手段が、第１のコネクタ１０２のための戻り止め機構を提供するために使用され得る。図１２〜図１４に示されているように、プラグヘッド５１４は、第１の軸棒５５２および第２の軸棒５５３に隣接して位置付けられている複数の陥凹部５５６を含む。いくつかの実施形態では、複数の陥凹部５５６の深さの距離は、第１の軸棒５５２または第２の軸棒５５３の長さの距離よりも小さくなっていることが可能である。追加的に、いくつかの実施形態では、本体部５０２は、第１の開口部５６２および第２の開口部５６３に隣接して位置決めされている複数の延在部５６６を含むことが可能である。いくつかの実施形態では、複数の延在部５６６の場所は、第１の軸棒５５２および第２の軸棒５５３の周りの複数の陥凹部５５６と同様に、第１の開口部５６２および第２の開口部５６３の周りに間隔を置いて配置され得る。他の実施形態では、複数の延在部５６６および複数の陥凹部５５６は、他の場所に位置付けられ得る。
【００４４】
いくつかの実施形態では、複数の陥凹部５５６および複数の延在部５６６は、間隔を置いて配置され得、プラグ組立体５５０が本体部５０２の中に位置付けられているときに、複数の延在部５６６が複数の陥凹部５５６と整列することができるようになっている。複数の延在部５６６が複数の陥凹部５５６と整列しているときに、プラグ組立体５５０は、運動しないように部分的に制限され得る。すなわち、整列させられているときに、複数の延在部５６６は、複数の陥凹部５５６の中へクリック嵌合し、プラグ組立体５５０がさらに回転することを制限することが可能である。複数の陥凹部５５６がプラグヘッド５１４の両側に示されており、複数の延在部５６６が第１のプロング５０６および第２のプロング５０８の両方の上に示されているが、他の実施形態では、プラグヘッド５１４の単一の側が、複数の延在部を含むことが可能であり、単一のプロングが、複数の延在部を含むことが可能である。たとえば、別の実施形態では、第２のプロング５０８だけが、複数の延在部５６６を含むことが可能であり、第２のプロング５０８に隣接するプラグヘッド５１４の側だけが、対応する複数の陥凹部５５６を含むことが可能である。さらに、他の実施形態では、プラグヘッド５１４が、延在部を含むことが可能であり、一方、本体部５０２が、対応する陥凹部を含む。
【００４５】
ここで図６〜図９を参照すると、戻り止め機構の使用が説明され得る。図６を参照すると、戻り止め機構は係合され得る。すなわち、複数の延在部５６６は、複数の陥凹部５５６の中に位置付けられ得る。この位置において、プラグ組立体５５０は、適切な場所へ部分的にロックされ得、プラグ組立体５５０が自由に回転しないように制限されるようになっている。図７では、プラグ組立体５５０が回転させられている。プラグ組立体５５０が図６の位置から図７のプラグ組立体５５０の位置へ回転させられるようにするために、所定の大きさの力が、プラグ組立体５５０に押し付けられ、プラグ組立体５５０を回転させる。図６に示されているような位置から図７に示されているような位置へプラグ組立体５５０を移動させるために必要とされる力の大きさは、図７に示されているような位置から図８に示されているような位置へとプラグ組立体５５０を移動させるために必要とされる力の大きさよりも大きくなっている。その理由は、複数の延在部５６６が、図７において、適切な場所にロックされていないからである。本体部５０２は弾性材料から形成され得るので、プラグ組立体５５０が図６において押されるときに、複数の延在部５６６が複数の陥凹部５５６から外へ移動させられながら、第１のプロング５０６および第２のプロング５０８が互いからわずかに離れるように押圧し得る。次いで、プラグ組立体５５０は、図７に示されている配向へ移動させられ得る。追加的に、第１の軸棒５５２および第２の軸棒５５３が複数の延在部５６６よりも長くなっているので、プラグ組立体５５０は、本体部５０２の中にあるままになっていることが可能である。その理由は、第１の軸棒５５２が依然として第１の開口部５６２の中に位置付けられており、第２の軸棒５５３が依然として第２の開口部５６３の中に位置付けられているからである。プラグ組立体５５０が回転させられ続けると、複数の延在部５６６が、図９に示されているように、複数の陥凹部５５６の中へクリック嵌合することが可能である。したがって、戻り止め機構は、プラグ組立体５５０が常時自由に回転しないように制限し、プラグ組立体５５０のプラグをさまざまな配向に部分的に固定するようになっている。
【００４６】
いくつかの実施形態では、第１のコネクタ１０２は、さまざまなプラグをコード１０６と電気的に接続するための手段を含むことが可能である。図１２において見られるように、いくつかの実施形態では、本体部５０２は、第１の複数の本体部接点５６８を含むことが可能である。さらに、プラグヘッド５１４は、第１の複数のプラグヘッド接点５７０を含むことが可能である。いくつかの実施形態では、第１の複数のプラグヘッド接点５７０は、第１の複数の本体部接点５６８と整列することが可能である。いくつかの実施形態では、第１の複数のプラグヘッド接点５７０を第１の複数の本体部接点５６８と整列させる配向で、プラグ組立体５５０が部分的に固定され得るように、前述の戻り止め機構は配向され得る。
【００４７】
いくつかの実施形態では、第１の複数の本体部接点５６８は、さまざまな位置において、第１の複数のプラグヘッド接点５７０と物理的な接触をした状態にあることが可能である。第１の複数の本体部接点５６８が第１の複数のプラグヘッド接点５７０と接触しているときに、電気接続部が形成され得る。いくつかの実施形態では、第１の複数の本体部接点５６８は、第２のプラグ１１０に電気的に接続され得る。図１２に示されているように、第１の複数のプラグヘッド電気接続部５７２が、第２のプラグ１１０と第１の複数のプラグヘッド接点５７０との間に延在しており、第２のプラグ１１０を第１の複数のプラグヘッド接点５７０に接続している。第１の複数のプラグヘッド接点５７０は４つの接点を含むものとして示されているが、第１の複数のプラグヘッド接点５７０の接点の数は、４つよりも少なくてもよく、または、４つよりも多くてもよい。いくつかの実施形態では、第１の複数のプラグヘッド電気接続部５７２は、プラグヘッド５１４の中に位置付けられ得る。第１の複数のプラグヘッド電気接続部５７２をプラグヘッド５１４の中に設置することによって、プラグヘッド５１４は、第１の複数のプラグヘッド電気接続部５７２をさまざまな外部影響から絶縁することが可能である。この設置は、第１の複数のプラグヘッド電気接続部５７２に対する損傷の可能性を低減させることが可能である。
【００４８】
同様の方式で、第１の複数の本体部接点５６８は、４つの接点を含むものとして示されている。他の実施形態では、第１の複数の本体部接点５６８の数は、４つよりも少なくてもよく、または、４つよりも多くてもよい。さらに、第１の複数の本体部接点５６８は、ケーブル１００の他の部分に電気的に接続され得る。図１２に示されているように、第１の複数の本体部電気接続部５７４が、内部部分５４４を通って、本体部５０２の中で延在または通過することが可能である。たとえば、図１２に示されているように、第１の複数の本体部電気接続部５７４は、本体部５０２の第２のプロング５０８の中で、かつ、本体部５０２の第２のプロング５０８を通って延在している。いくつかの実施形態では、本体部５０２の内部部分５４４の中に第１の複数の本体部電気接続部５７４を設置することは、第１の複数の本体部電気接続部５７４をさまざまな外部影響から絶縁することが可能である。この設置は、第１の複数の本体部電気接続部５７４に対する損傷の可能性を低減させることが可能である。
【００４９】
いくつかの実施形態では、使用されていないまたは格納されたプラグは、電気的に接続されていなくてもよい。いくつかの実施形態では、プラグヘッド接点は、プラグヘッド５１４の異なるエリアに沿って位置付けられ得、複数のプラグが同時に電気的に接続されることを防止する。他の実施形態では、本体部接点は、本体部５０２の異なるエリアに沿って位置付けられ得、複数のプラグが同時に充電されることを防止する。図１５を参照すると、第１のコネクタ１０２は、所定の位置に示されており、第２のプラグ１１０がケーブル１００の他のコンポーネントに電気的に接続されるようになっており、したがって、電気的な充電を受け入れることができるようになっている。示されているように、第１の複数のプラグヘッド接点５７０は、第１の複数の本体部接点５６８と整列させられ、第１の複数の本体部接点５６８と接触している。したがって、電気は、第１の複数の本体部電気接続部５７４から、第１の複数の本体部接点５６８へ、第１の複数のプラグヘッド電気接続部５７２を通して、最終的には、第２のプラグ１１０へ通ることが可能である。追加的に、電子は、第２のプラグ１１０から反対方向に通ることも可能である。しかし、この構成において、第１のプラグ１０８は、電気的に接続されていなくてもよく、したがって、データまたは電子を受け取ることができなくてもよい。示されているように、第２の複数のヘッド接点５７６は、第２の複数の本体部接点５７８と整列された状態になっていない。したがって、第２の複数の本体部接点５７８が電気的に充電されている場合にも、電気的な充電は、第２の複数のヘッド接点５７６上へ至らず、したがって、第２の複数のプラグヘッド電気接続部５８０を通って第１のプラグ１０８へは至らない。したがって、この構成では、第１のプラグ１０８は、電気的に充電することができない。使用されていないまたは格納されたプラグが電気的に充電されないように第１のコネクタ１０２を設計することによって、第１のプラグ１０８からの電気的短絡の可能性が低減され得る。
【００５０】
いくつかの実施形態では、複数の本体部電気接続部は、本体部５０２の内部部分５４４の中で互いに接続することが可能である。図１５を参照すると、第１の複数の本体部電気接続部５７４は、第２の複数の本体部電気接続部５８２に接続することが可能である。したがって、第１の複数の本体部電気接続部５７４および第２の複数の本体部電気接続部５８２は、同時に電気的に充電され得る。したがって、いくつかの実施形態では、第１の複数の本体部接点５６８および第２の複数の本体部接点５７８の両方が、同時に電気的に充電され得る。追加的に、コード１０６からの電気ワイヤは、第１の複数の本体部電気接続部５７４および第２の複数の本体部電気接続部５８２の両方に接続することが可能である。
【００５１】
別の実施形態では、ケーブルは、複数のプラグを備えたコネクタを含むことが可能である。図１６に示されているように、ケーブル９００は、第１のコネクタ９０２および第２のコネクタ９０４を含む。ケーブル１００の第２のコネクタ１０４とは対照的に、第２のコネクタ９０４は、複数のプラグを含む。したがって、この実施形態では、第１のコネクタ９０２および第２のコネクタ９０４の両方が、それらのそれぞれの本体部分の中で回転可能な複数のプラグを含む。第１のコネクタ９０２および第２のコネクタ９０４の両方は、前述のプラグ組立体５５０と同様の様式で回転するプラグ組立体を含むことが可能である。したがって、異なるプラグ構成の組み合わせの量は、ケーブル１００とは対照的に、ケーブル９００において、より多くなっていることが可能である。異なる多くの接続オプションを有することによって、より多い量の異なる電気デバイスが、同じケーブルを使用して接続され得る。これは、ユーザが電子デバイスを互いに接続するために持ち歩くことを必要とし得るケーブルの数を低減させることが可能である。
【００５２】
ここで図１７および図１８を参照すると、チャート１０００およびチャート１１００が示されている。参照しやすくするために、このチャートは、アルファα端部およびベータβ端部として、ケーブルの端部を参照することが可能である。アルファ端部およびベータ端部のそれぞれは、回転可能なコネクタがその中に配設されている状態の本体部分を有することが可能である。ケーブルのアルファ端部またはベータ端部のいずれかに本体部分上に装着されている回転可能な機構は、組み合わせの複数の並べ替えを提供することになる。電力、データ、およびオーディオ伝送目的のために、一緒に接続されることを必要とする電子デバイスに応じて、ほとんど無限の量の組み合わせがコネクタに関して可能である。チャート１０００は、本考案のケーブルに関する候補であるプラグのタイプのうちのいくつかを図示している。
【００５３】
チャート１０００に示されているプラグのいずれも、ケーブルのアルファコネクタ端部またはベータコネクタ端部のいずれかの回転可能な端部のいずれかにあることが可能である。本考案の原理は、これらのプラグまたはそれ以上のものの（限定されないが、ｍｉｎｉＨＤＭＩ（登録商標）、Ｄｉｓｐｌａｙｐｏｒｔ、さまざまなＡｐｐｌｅコネクタ、たとえば、ＦｉｒｅＷｉｒｅ（ＩＥＥＥ１３９４）、３０ピンドッキングプラグ、Ｌｉｇｈｔｎｉｎｇ（登録商標）コネクタプラグ、およびＴｈｕｎｄｅｒｂｏｌｔ（登録商標）コネクタプラグなどを含む）いずれもが、回転可能なプラグ組立体に含まれることを可能にする。いくつかの実施形態では、これらのさまざまなプラグは、Ｍｉｃｒｏ−ＵＳＢ  Ｂ−タイプおよびＵＳＢ  Ｃ−タイプコネクタと後方互換性および前方互換性があることが可能である。多くのユーザが、これらのタイプのプラグを必要とするＡｐｐｌｅ（登録商標）によって製造されたデバイスを所有しており、また、より多くの標準化されたＵＳＢコネクタプラグを使用する他の製造業者によって製造されたデバイスを所有するので、コネクタに関して異なるタイプのプラグを備えた多機能ケーブルに対する必要性が、明らかになっている。追加的に、チャート１０００に示されているプラグに加えて多くの他のプラグが、さまざまな構成のケーブルへ組み込まれ得る。
【００５４】
いくつかのさまざまな実施形態では、異なるプラグには、コネクタが提供され得る。チャート１１００に示されているように、ケーブルのさまざまな構成が示されている。ケーブルは、第１のコネクタ（アルファ端部）、および、第２のコネクタ（ベータ端部）を含むことが可能である。いくつかの実施形態では、それぞれのコネクタは、本体部分の周りに回転可能な複数のプラグを含むことが可能である。他の実施形態では、一方のコネクタは、複数のプラグを含むことが可能であるが、一方、他方のコネクタは、単一のプラグによって構成され得る。さらに、雌型タイプおよび雄型タイプの両方のコネクタが使用され得る。チャート１１００に示されているように、複数のタイプのプラグおよび構成が可能であり得る。いくつかのプラグは、オーディオデータに対応することが可能であり、一方、他のプラグは、ビジュアルデータに対応することが可能である。さらに、いくつかのプラグは、データ伝送またはオーディオ再生に対応することが可能である。示されているように、プラグの複数の異なる組み合わせが可能であり得る。単一のケーブル上にさまざまなタイプのプラグを有することによって、データを送受信するかまたは複数のデバイスを充電するために必要とされるケーブルの数が低減され得る。チャート１１００は、限定することを意味していない。それは、例示的なものとしていくつかの可能な組み合わせを列挙しているに過ぎない。
【００５５】
ここで図１９を参照すると、さまざまなケーブルに関するコネクタおよびプラグのさまざまな組み合わせを示すチャートが示されている。チャート１１５０は、コネクタのそれぞれ上に異なる組み合わせのプラグを備えた６つのケーブルを示している。チャート１１５０は、限定することを意味していない。しかし、チャート１１５０は、さまざまな理由のためにユーザに有用となり得るさまざまなケーブルを示している。ケーブル１１５１は、第１のプラグ１１５３を備えた第１のコネクタ１１５２を含む。示されているように、第１のプラグ１１５３は、ＵＳＢ  Ａ−タイプのプラグであることが可能である。また、ケーブル１１５１は、第２のコネクタ１１５４を含むことが可能である。第２のコネクタ１１５４は、第２のプラグ１１５５および第３のプラグ１１５６を含むことが可能である。示されているように、第２のプラグ１１５５は、ｍｉｃｒｏ−ＵＳＢタイプのプラグであることが可能であり、一方、第３のプラグ１１５６は、Ｌｉｇｈｔｎｉｎｇ（登録商標）タイプのプラグであることが可能である。ケーブル１１５１は、データを伝送するために、または、Ａｐｐｌｅ（登録商標）製品もしくはｍｉｃｒｏ−ＵＳＢ製品を充電するために使用され得る。
【００５６】
ケーブル１１５７は、第１のプラグ１１５９および第２のプラグ１１６０を備えた第１のコネクタ１１５８を含む。示されているように、第１のプラグ１１５９は、ＵＳＢ  Ｃ−タイプのプラグであることが可能であり、第２のプラグ１１６０は、ＵＳＢ  Ｃ−タイプのプラグであることが可能である。また、ケーブル１１５７は、第２のコネクタ１１６１を含むことが可能である。第２のコネクタ１１６１は、第３のプラグ１１６２および第４のプラグ１１６３を含むことが可能である。示されているように、第３のプラグ１１６２は、Ｌｉｇｈｔｎｉｎｇ（登録商標）タイプのプラグであることが可能であり、一方、第４のプラグ１１６３は、ＵＳＢ  Ｃ−タイプのプラグであることが可能である。ケーブル１１５７は、データを伝送するために、または、Ａｐｐｌｅ（登録商標）製品もしくはＵＳＢ−Ｃタイプ製品を充電するために使用され得る。追加的に、充電ポートは、ＵＳＢ  Ａ−タイプのプラグまたはＵＳＢ  Ｃ−タイプのプラグのいずれかを受け入れるソケットであることが可能である。
【００５７】
ケーブル１１６４は、第１のプラグ１１６６および第２のプラグ１１６７を備えた第１のコネクタ１１６５を含む。示されているように、第１のプラグ１１６６は、３．５ミリメートルジャックなどのオーディオコネクタであることが可能である。第２のプラグ１１６７は、ＵＳＢ  Ａ−タイプのプラグであることが可能である。また、ケーブル１１６４は、第２のコネクタ１１６８を含むことが可能である。第２のコネクタ１１６８は、第３のプラグ１１６９および第４のプラグ１１７０を含むことが可能である。示されているように、第３のプラグ１１６９は、３．５ミリメートルジャックなどのオーディオコネクタであることが可能であり、一方、第４のプラグ１１７０は、Ｌｉｇｈｔｎｉｎｇ（登録商標）タイプのプラグであることが可能である。ケーブル１１６４は、データを伝送するために、または、Ａｐｐｌｅ（登録商標）製品を充電するために使用され得る。追加的に、ケーブル１１６４は、音楽を聴くためにユーザがアナログオーディオケーブルを利用することを可能にすることができる。
【００５８】
ケーブル１１７１は、第１のプラグ１１７３および第２のプラグ１１７４を備えた第１のコネクタ１１７２を含む。示されているように、第１のプラグ１１７３は、３．５ミリメートルジャックを受け入れるためのソケットなどの雌型オーディオコネクタであることが可能である。第２のプラグ１１７４は、ＵＳＢ  Ａ−タイプのプラグであることが可能である。また、ケーブル１１７１は、第２のコネクタ１１７５を含むことが可能である。第２のコネクタ１１７５は、第３のプラグ１１７６および第４のプラグ１１７７を含むことが可能である。示されているように、第３のプラグ１１７６は、３．５ミリメートルジャックなどのオーディオコネクタであることが可能であり、一方、第４のプラグ１１７７は、Ｌｉｇｈｔｎｉｎｇ（登録商標）タイプのプラグであることが可能である。ケーブル１１７１は、データを伝送するために、または、Ａｐｐｌｅ（登録商標）製品を充電するために使用され得る。追加的に、ケーブル１１７１は、音楽を聴くためにユーザがアナログオーディオケーブルを利用することを可能にすることができる。たとえば、ユーザは、第２のプラグ１１７４の中へヘッドホンを差し込み、Ｌｉｇｈｔｎｉｎｇ（登録商標）タイプのプラグを受け入れるソケットの中へ第４のプラグ１１７７を挿入することが可能であり得る。
【００５９】
ケーブル１１７８は、第１のプラグ１１８０を備えた第１のコネクタ１１７９を含む。示されているように、第１のプラグ１１８０は、ＵＳＢ  Ａ−タイプのプラグであることが可能である。また、ケーブル１１７８は、第２のコネクタ１１８１を含むことが可能である。第２のコネクタ１１８１は、第２のプラグ１１８２および第３のプラグ１１８３を含むことが可能である。示されているように、第２のプラグ１１８２は、ｍｉｃｒｏ−ＵＳＢタイプのプラグであることが可能であり、一方、第３のプラグ１１８３は、ＵＳＢ  Ｃ−タイプのプラグであることが可能である。ケーブル１１７８は、データを伝送するために、または、ｍｉｃｒｏ−ＵＳＢ製品およびＵＳＢ  Ｃ−タイプ製品を充電するために使用され得る。
【００６０】
ケーブル１１８４は、第１のプラグ１１８６および第２のプラグ１１８７を備えた第１のコネクタ１１８５を含む。示されているように、第１のプラグ１１８６は、ＵＳＢ  Ｃ−タイプのプラグであることが可能であり、第２のプラグ１１８７は、ＵＳＢ  Ａ−タイプのプラグであることが可能である。また、ケーブル１１８４は、第２のコネクタ１１８８を含むことが可能である。第２のコネクタ１１８８は、第３のプラグ１１８９および第４のプラグ１１９０を含むことが可能である。示されているように、第３のプラグ１１８９は、ｍｉｃｒｏ−ＵＳＢタイプのプラグであることが可能であり、一方、第４のプラグ１１９０は、ＵＳＢ  Ｃ−タイプのプラグであることが可能である。ケーブル１１８４は、ＵＳＢ  Ｃ−タイプのプラグまたはＵＳＢ  Ａ−タイプのプラグを利用する製品の間でデータを伝送するために、または、その製品を充電するために使用され得る。
【００６１】
ここで図２０〜図２５を参照すると、コネクタの代替的な実施形態が示されている。示されているように、この実施形態では、コネクタ１２００は、プラグ組立体１２５０を含む。プラグ組立体１２５０は、第１のプラグ１２０８、第２のプラグ１２１０、およびプラグヘッド１２１４を含む。プラグ組立体１２５０は、第１のコネクタ１０２を参照して先に説明されているものと同様の様式で、軸線１２０１の周りに回転可能であり得る。便宜上および明確化の目的のために、コネクタ１２００の単一の側が説明される。いくつかの実施形態では、同様の構成が、コネクタ１２００のいずれかの側に存在することが可能であるということが認識されるべきである。
【００６２】
いくつかの実施形態では、コネクタ１２００のプラグ組立体は、以前の実施形態から変化することが可能である。図２０〜図２２に示されているように、プラグヘッド１２１４の第１の表面１２１６は、本体部１２０２のさまざまな部分と整列することが可能である。示されているように、第１の表面１２１６は、第１のプロング１２０６の第１の上側表面１２１８と整列することが可能であり、また、第１の表面１２１６は、本体部１２０２の第２のプロング１２０７の第２の上側表面１２２０と整列することが可能であり、それらの表面が互いに同一平面上にあるようになっている。追加的に、第２の表面１２２２の一部分は、第１のプロング１２０６および第２のプロング１２０７の端部表面１２２４と整列することが可能である。図２０および図２１に示されているように、いくつかの実施形態では、プラグ組立体１２５０の一部分は、第１のプロング１２０６および第２のプロング１２０７の端部表面１２２４を越えて延在することが可能である。示されているように、隆起部分１２２６は、端部表面１２２４を越えて延在している。いくつかの実施形態では、第１のプラグ１２０８などのプラグが、隆起部分１２２６に取り付けられるか、または、隆起部分１２２６に当接することが可能である。隆起部分１２２６は、本体部１２０２から間隔を離してプラグを配置するために使用され得、コネクタ１２００のプラグをさまざまなデバイスに接続するときの障害物を減少させる。
【００６３】
ここで、具体的には図２１を参照すると、コネクタ１２００の特定の部分が、分解図で示されている。示されているように、固定軸棒１２２８およびスプリング１２３０が、コネクタ１２００の本体部１２０２から取り外されて示されている。いくつかの実施形態では、固定軸棒１２２８は、ピン１２３４よりも大きい断面を有するヘッド１２３２を含むことが可能である。追加的に、いくつかの実施形態では、ヘッド１２３２は、スプリング１２３０と実質的に同じサイズであることが可能である。他の実施形態では、ヘッド１２３２は、スプリング１２３０よりも大きくなっていることが可能である。スプリング１２３０よりも大きくなるようにヘッド１２３２を設計することによって、ヘッド１２３２は、コネクタ１２００の他のコンポーネントに向けてスプリング１２３０を圧縮することが可能であり得る。いくつかの実施形態では、同じまたは同様の構成が、本体部１２０２の反対側に存在することが可能である。
【００６４】
いくつかの実施形態では、コネクタは、戻り止め機構を備えて構成され得る。図２０〜図２５に示されているように、戻り止め機構の代替的な実施形態が示されている。示されているように、戻り止め機構は、スプリング１２３０および固定軸棒１２２８を含む。スプリング１２３０および固定軸棒１２２８は、孔１２５６を通して本体部１２０２の中に位置していることが可能である。図２０を参照すると、固定軸棒１２２８は、コネクタ１２００の他の部分と組み立てられていることが示されている。この構成において、固定軸棒１２２８のヘッド１２３２は、コネクタ１２００の一部分に対抗してスプリング１２３０を圧縮する。図２１に示されているように、スプリング１２３０は、ウェーブのかかった円形スプリングである。しかし、他のスプリング、たとえば、圧縮渦巻スプリング、リーフスプリング、またはトーションタイプスプリングも使用され得る。いくつかの実施形態では、固定軸棒１２２８は、コネクタ１２００の本体部１２０２のさまざまな部分に固定され得、スプリング１２３０が孔１２５６を通って本体部１２０２から出て行かないように制限されるようになっている。いくつかの実施形態では、固定軸棒１２２８は、本体部１２０２に恒久的に固定され得、一方、他の実施形態では、固定軸棒１２２８は、ピン１２３４の上にネジ山付きの部分を含むことが可能であり、コネクタ１２００からの取り外しを可能にする。
【００６５】
ここで図２２および図２３を参照すると、プラグ組立体１２５０および本体部１２０２が、互いから分離して示されている。とりわけ図２２を参照すると、プラグ組立体１２５０の等角図が示されている。プラグ組立体１２５０は、第１のプラグ１２０８、第２のプラグ１２１０、およびプラグヘッド１２１４を含む。ピン受け入れ部分１２３６は、プラグヘッド１２１４の側部表面１２４０上に位置付けられている。また、ピン受け入れ部分１２３６は、受け入れ孔１２３８を含む。いくつかの実施形態では、ピン受け入れ部分１２３６の外側表面１２４４は、側部表面１２４０を越えて延在することが可能である。他の実施形態では、ピン受け入れ部分１２３６の外側表面１２４４は、側部表面１２４０に対して実質的に平行になっているか、または、側部表面１２４０と整列させられ得る。またさらなる実施形態では、ピン受け入れ部分１２３６の外側表面１２４４は、側部表面１２４０から凹んでいることが可能である。
【００６６】
いくつかの実施形態では、側部表面１２４０は、凹んだ部分を含むことが可能である。いくつかの実施形態では、凹んだ部分１２４２は、第１のプラグ１２０８および第２のプラグ１２１０に電気的に接続されている電気接点を含むことが可能である。示されているように、凹んだ部分１２４２は、第１のプラグ１２０８に電気的に接続されている第１のセットの接点１２４６、および、第２のプラグ１２１０に電気的に接続されている第２のセットの接点１２４８を含む。接点の数および特定の場所は、変更されることが可能である。たとえば、別の実施形態に関して前述したように、接点は、プラグヘッド１２１４の反対側に位置付けられ得る。さらに、いくつかの実施形態では、プラグヘッド１２１４のいずれかの側の接点が、同時に本体部１２０２の部分に電気的に接続され得る。すなわち、いくつかの実施形態では、第１のプラグ１２０８に関連付けられている接点は、プラグヘッド１２１４のいずれかの側に位置付けられ得、これらの接点は、コネクタ１２００のいずれかのプロング上の対応する受け入れ接点と特定の配向で電気的に接続され得る。
【００６７】
いくつかの実施形態では、凹んだ部分１２４２は、さらなる陥凹部または凹んだ部分を含むことが可能である。図２２に示されているように、陥凹部１２５２のセットが、互いから反対側に、ピン受け入れ部分１２３６に当接して位置付けられ得る。陥凹部１２５２のセットは、本体部１２０２上に位置付けられている突出部または延在部に対応することが可能である。陥凹部１２５２のセットは、プラグ組立体１２５０を特定の場所に位置決めするために配向され得、特定のプラグが使用のために準備状態になっているときに、接点がコネクタ１２００の一部分に電気的に接続され得るようになっている。
【００６８】
ここで図２３を参照すると、本体部１２０２が等角図で示されている。示されているように、本体部１２０２は、隆起部分１２５４を含み、隆起部分１２５４は、本体部１２０２の内部側部表面１２５５から内向きに延在している。隆起部分１２５４は、孔１２５６を取り囲むことが可能であり、孔１２５６は、本体部１２０２を通って延在している。さらに、隆起部分１２５４は、突出部１２５８のセットを含み、突出部１２５８のセットは、隆起部分１２５４を越えてさらに内向きに延在している。いくつかの実施形態では、突出部１２５８のセットは、同様に形状決めおよびサイズ決めされ得、突出部１２５８のセットが、プラグ組立体１２５０からの陥凹部１２５２のセットを受け入れるように構成されるようになっている。すなわち、いくつかの実施形態では、突出部１２５８のセットは、凸形の形状または延在する形状を有することが可能である。陥凹部１２５２のセットは、凹形の形状または後退する形状を有することが可能である。いくつかの実施形態では、陥凹部１２５２のセットの凹形の形状は、突出部１２５８のセットの凸形の形状と同様の形状であることが可能である。さらに、受け入れ接点１２６０のセットが、隆起部分１２５４を通じて位置決めされ得る。受け入れ接点１２６０のセットは、第１のセットの接点１２４６または第２のセットの接点１２４８のいずれかに接触するように構成され得る。すなわち、プラグ組立体１２５０が軸線１２０１の周りに回転させられると、プラグ組立体１２５０からの異なる接点が、本体部１２０２の受け入れ接点１２６０のセットに接触することが可能である。プラグ組立体１２５０のこれらの接点は、第１のプラグ１２０８または第２のプラグ１２１０のいずれかに電気的に接続され得る。
【００６９】
組み立てられているときに、コネクタ１２００のさまざまなコンポーネントが、互いに相互作用することが可能であり、プラグ組立体１２５０が回転させられ、さまざまな場所において部分的に固定され得るようになっている。組み立てられているときに、ピン１２３４は、スプリング１２３０および本体部１２０２の孔１２５６を通過することが可能である。次いで、ピン１２３４は、ピン受け入れ部分１２３６の受け入れ孔１２３８の中へ延在することが可能である。この構成では、ピン１２３４は、プラグ組立体１２５０が軸線１２０１の周りに回転することを可能にすることができる。いくつかの実施形態では、スプリング１２３０は、プラグ組立体１２５０のピン受け入れ部分１２３６の外側表面１２４４に押し付けられ得る。この圧縮力は、本体部１２０２の中にプラグ組立体１２５０を固定することが可能であり、プラグ組立体１２５０が回転することを部分的に制限されるようになっている。追加的に、スプリング１２３０は、圧縮力を提供することが可能であり、突出部１２５８のセットが、プラグヘッド１２１４の陥凹部１２５２のセットの中へセットまたはクリック嵌合するようになっている。この圧縮力は、準備位置へと回転させられるときに、プラグ組立体１２５０を適切な場所に固定することが可能である。追加的に、いくつかの実施形態では、第２のスプリングが、本体部１２０２の反対側に位置付けられ得る。したがって、圧縮力は、コネクタ１２００の両側からプラグ組立体１２５０を圧迫していることが可能である。複数のスプリングを有することによって、追加的な支持が、プラグ組立体１２５０に提供され得る。
【００７０】
追加的に、いくつかの実施形態では、戻り止め機構は、とりわけ、使用のための準備ができた位置にコネクタを固定するように形状決めされ得る。図２３に示されているように、かつ、とりわけ図２４および図２５に示されているように、戻り止め機構の突出部の形状が、より詳細に見られ得る。いくつかの実施形態では、突出部１２５８のセットからの突出部は、概して多角形の断面形状を有することが可能である。いくつかの実施形態では、三角形の断面形状が利用され得る。他の実施形態では、台形の形状が利用され得る。またさらなる実施形態では、他の断面形状が利用され得る。
【００７１】
図２４および図２５に示されているように、第１のプロング１２０６の突出部１２６２は、台形の形状を有することが可能である。示されているように、突出部１２６２は、第１の表面１２６３、第２の表面１２６４、および第３の表面１２６５を含む。示されているように、第１の表面１２６３は、内部側部表面１２５５に対して実質的に平行になっていることが可能である。追加的に、示されているように、第２の表面１２６４は、内部側部表面１２５５に対して所定の角度になっていることが可能である。いくつかの実施形態では、第３の表面１２６５は、また、内部側部表面１２５５に対して所定の角度になっていることが可能である。いくつかの実施形態では、第３の表面１２６５が内部側部表面１２５５に対して位置付けられている角度は、第２の表面１２６４が内部側部表面１２５５に対して位置付けられている角度と実質的に同様であることが可能である。他の実施形態では、表面が配向されている角度は、異なっていてもよい。
【００７２】
いくつかの実施形態では、戻り止め機構の突出部の表面は、線形であることが可能である。図２４および図２５に示されているように、突出部１２６２の表面は、実質的に線形になっている。他の実施形態では、表面は、連続的に傾斜しているかまたはテーパーとされ得る。またさらなる実施形態では、表面は、不規則に形状決めされるかまたは傾斜され得る。図２２〜図２４に示されている実施形態では、線形の表面は、プラグ組立体１２５０の適切な場所への実質的なクリック嵌合またはスナップ嵌合を提供することを支援することが可能である。陥凹部１２７２および突出部１２６２の両方において既定の角度を有することによって、ユーザは、プラグ組立体１２５０が適切な場所へスナップ嵌合されたときを容易に推定することが可能であり得る。その理由は、プラグ組立体１２５０が適切な場所にあるときに、クリック嵌合またはスナップ嵌合が、容易にかつ明確に定義され得るからである。
【００７３】
ここで図２５を参照すると、突出部１２６２と陥凹部１２７２との間の相互作用が示されている。いくつかの実施形態では、陥凹部１２５２のセットの陥凹部は、形状およびサイズに関して、突出部１２５８のセットの突出部に対応することが可能である。図２５に示されているように、陥凹部１２７２は、突出部１２６２を受け入れるように形状決めされている。示されているように、陥凹部１２７２の第１の表面１２７３は、突出部１２６２の第１の表面１２６３に対応することが可能である。追加的に、陥凹部１２７２の第２の表面１２７４は、突出部１２６２の第２の表面１２６４に対応することが可能である。さらに、陥凹部１２７２の第３の表面１２７５は、突出部１２６２の第３の表面１２６５に対応することが可能である。したがって、示されているように、突出部１２６２の表面のそれぞれは、陥凹部１２７２の対応する表面にマッチしている。プラグ組立体１２５０が回転させられると、突出部および陥凹部のさまざまな表面は、プラグ組立体１２５０を適切な場所に固定するために整列することが可能である。
【００７４】
台形形状の陥凹部および突出部の使用は、適切な場所へのプラグ組立体１２５０の固定を提供することを支援することが可能である。縁部を備えた平坦な表面を使用することによって、固定された位置へおよび固定された位置からプラグ組立体１２５０を回転させるために必要な力の大きさが、他の実施形態に対して増加させられ得る。突出部および陥凹部の角度を変化させることによって、必要な力の大きさが、特定のレベルに調整され得る。対応する陥凹部表面に関連して第２の表面１２６４および第３の表面１２６５の角度を変化させることによって、必要とされる力が、増加または減少させられ得る。より急勾配の第２の表面１２６４および第３の表面１２６５を備えた突出部は、固定された位置へおよび固定された位置からプラグ組立体１２５０を移動させるために、より徐々に傾斜した表面を備えた突出部よりも大きい大きさの力を必要とする可能性がある。たとえば、内部側部表面１２５５に対して６０度の角度で配向されている第２の表面１２６４および第３の表面１２６５を含む実施形態は、プラグ組立体１２５０を回転させるために、１５度の角度で配向されている第２の表面１２６４および第３の表面１２６５を含む実施形態よりも大きい大きさの力を必要とする可能性がある。したがって、固定された位置からプラグ組立体１２５０を回転させるために必要とされる力の大きさは、突出部および陥凹部の表面の角度を変化させることによって、変更または調整され得る。
【００７５】
ここで図２６を参照すると、コネクタの代替的な実施形態が示されている。示されているように、コネクタ２２００は、第１のプロング２２０６と第２のプロング２２０７との間に固定されているプラグ組立体２２５０を含む。示されているように、この実施形態では、第１のプロング２２０６および第２のプロング２２０７は、プラグ組立体２２５０のプラグヘッド２２１４の長さ全体に延在していなくてもよい。この実施形態では、プラグ組立体２２５０がその周りに回転する軸線は、第１のプロング２２０６および第２のプロング２２０７の端部に隣接していることが可能である。第１のプロング２２０６および第２のプロング２２０７の長さを低減させることによって、他の実施形態と比較したときに、コネクタ２２００を形成するために使用される材料の量が低減され得る。追加的に、第１のプロング２２０６および第２のプロング２２０７の長さを低減させることによって、第１のプロング２２０６および第２のプロング２２０７が外部物体に引っ掛かる機会が低減され得る。
【００７６】
デバイスユーザが直面する特定の問題は、図２７に示されているコネクタおよびプラグを有するケーブルによって解決される。この特定の構成は、新しく作り出されるデバイスを、ユーザのオーディオ機器、たとえば、ヘッドホン、イヤホン、または外部ラウドスピーカなどと後方互換性があるものにするという問題に向けられている。図２７の実施形態では、ケーブル１３００の第１の端部は、雄型プラグ１３０２と雌型ソケット１３０４ととの間で回転可能な３．５ミリメートルオーディオコネクタを有している。第２の端部は、３．５ミリメートルオーディオ雄型プラグ１３０８とともに回転可能なＬｉｇｈｔｎｉｎｇ（登録商標）プラグ１３０６を備えたコネクタを有している。この特定のケーブル実施形態は、オーディオのためのＬｉｇｈｔｎｉｎｇ（登録商標）ジャックを有する新しく出されたスマートフォンまたは他のデバイスのユーザが、標準的な３．５ミリメートルオーディオプラグを使用する自分の既存のヘッドホンまたは外部ラウドスピーカを使用することを可能にする。Ｌｉｇｈｔｎｉｎｇ（登録商標）プラグ１３０６は、対応するソケットの中へ挿入され得、アルファ端部の雄型プラグ１３０２は、外部スピーカセットなどの対応するデバイスの中へ挿入され得る。追加的に、雄型プラグ１３０２ではなく、雌型ソケット１３０４が配備され得る。雌型ソケット１３０４が準備位置へ回転させられている状態で、ヘッドホンの既存のセットの３．５ミリメートル端部が、雌型ソケット１３０４の中へ挿入され得る。追加的に、雌型ソケット１３０４が第１の端部に配備されるように、コネクタが回転させられている場合には、雄型プラグ１３０８が、第２の端部に配備され、たとえば、３．５ミリメートルオーディオジャックを備えたデバイスを補助ポートに接続するための標準的なオーディオ補助ケーブルへ、このケーブルを変換することが可能である。本明細書において説明および図示されている原理に基づいて、これらのコネクタ端部のそれぞれのための本体部分は、プラグの回転および電気接続性を可能にするために必要な電気的な構成を含むことになる。すなわち、ケーブル１３００の本体部分は、図６〜図９および図１２〜図１５、または図２０〜図２６に示されている本体部分にしたがって構築され得る。
【００７７】
多数の可能な並べ替えに起因して、および、ユーザのさまざまな個々のニーズに起因して、ケーブルのカスタマイズされた注文を可能にするということは、本考案の範囲内にあることになる。オーディオ／ビジュアルまたは通信コンポーネントの恒久的な設備のためのコネクタプラグの特定の組み合わせに対するニーズをユーザが有し得るということが可能である。そのような状況では、コネクタプラグの正確な構成を注文することができるということが、ユーザの役に立つことになる。本体部分設計によって与えられる可能性は、ケーブルのアルファ端部およびベータ端部がコネクタプラグの任意の組み合わせを含有することを可能にする。
【００７８】
ここで図２８を参照すると、ケーブルの代替的な実施形態が示されている。いくつかの実施形態では、ケーブルがそれに接続するように構成されているデバイスは、ケーブルがその中へ挿入され得る単一のポートまたは開口部を有することが可能である。しかし、ユーザは、複数の動作またはタスクを同時に行うことを希望する可能性がある。たとえば、ユーザは、自分のデバイスを充電もしながら、音楽を聴くことを希望する可能性がある。ケーブル２６０１は、ユーザが複数のタスクを同時に行うことを可能にするように構成されている。示されているように、コネクタ２６０２は、第１のプラグ２６０４および第２のプラグ２６０６を含む。示されているように、第１のプラグ２６０４は、Ｌｉｇｈｔｎｉｎｇ（登録商標）タイプのプラグであることが可能であり、一方、第２のプラグ２６０６は、ＵＳＢタイプＡプラグであることが可能である。前述のように、コネクタは、さまざまなタイプのプラグを有することが可能であり、説明されているプラグは、例示目的のためのものである。
【００７９】
いくつかの実施形態では、コード２６０８は、分割部を含むことが可能であり、さまざまなプラグが同時に利用され得るようになっている。示されているように、コード２６０８は分かれており、コード２６０８が第１の部分２６１０および第２の部分２６１２を含むようになっている。示されているように、第２のコネクタ２６１４は、コード２６０８の第１の部分２６１０に取り付けられ得る。追加的に、第３のコネクタ２６１６は、コード２６０８の第２の部分２６１２に接続され得る。示されているように、第２のコネクタ２６１４は、Ｌｉｇｈｔｉｎｇ（登録商標）タイプ雌型ソケットを含むが、一方では、第３のコネクタ２６１６は、３．５ミリメートル雌型オーディオコネクタである。特定のケーブルに関して望まれる使用のタイプに応じて、コネクタのそれぞれの上のプラグのタイプが、製造の間に変化させられ、ケーブルの使用を最適化することが可能である。
【００８０】
図２８に示されているような構成では、ケーブル２６０１は、デバイスを充電するために、かつ、デバイスを通して音楽を聴くために利用され得る。たとえば、第１のプラグ２６０４は、雌型Ｌｉｇｈｔｎｉｎｇ（登録商標）ソケットの中へ、たとえば、ｉＰｈｏｎｅ（登録商標）または他のＡｐｐｌｅ（登録商標）製品の中へ挿入され得る。Ｌｉｇｈｔｎｉｎｇ（登録商標）プラグは、デバイスを充電するために、第２のコネクタ２６１４の雌型ソケットの中へ挿入され得る。さらに、ヘッドホンまたは他のオーディオデバイスのためのジャックは、第３のコネクタ２６１６のソケットの中へ挿入され得る。したがって、この構成では、ユーザは、音楽も楽しみながら、自分の電子デバイスを充電することが可能であり得る。
【００８１】
ここで図２９〜図３７を参照すると、コネクタの代替的な実施形態が示されている。具体的には図２９を参照すると、コネクタ３０００は、プラグ組立体３０５０および本体部３００２を含む。プラグ組立体３０５０は、第１のプラグ３００８および第２のプラグ３０１０を含む。プラグは、以前の実施形態に関して前述したように、さまざまなタイプのものであることが可能である。コネクタ３０００は、第１のプラグ３００８および第２のプラグ３０１０が固定軸棒３０２８の周りに回転することを可能にするように構成され得、それぞれのプラグが電子デバイスに関連して使用されることを可能にする。以前の実施形態と同様の様式で、格納された位置において、プラグは、ケーブルの残りの部分に電気的に接続されていなくてもよい。たとえば、図２９に示されているように、第２のプラグ３０１０は、格納された位置にあり、したがって、本体部３００２に、または、コネクタ３０００が取り付けられているケーブル（図示せず）の残りの部分に、電気的に接続されていない。
【００８２】
ここで図３０を参照すると、コネクタ３０００は、部分的に分解された図で示されている。示されているように、プラグ組立体３０５０は、本体部３００２から分離されている。プラグ組立体は、カバー３０５１を含み、カバー３０５１は、プラグ組立体３０５０の中のコンポーネントをカバーまたは保護することが可能である。いくつかの実施形態では、カバー３０５１は、開口部３０４９を含むことが可能であり、開口部３０４９は、本体部３００２のコンポーネントと整列することが可能である。追加的に、カバー３０５１は、また、プラグ組立体３０５０の中に位置付けられている受け入れ孔３０３８と整列することが可能である。いくつかの実施形態では、受け入れ孔３０３８は、固定軸棒３０２８のピン３０８４と整列することが可能である。以前の実施形態と同様に、ピン３０８４は、プラグ組立体３０５０を本体部３００２に固定することを支援することが可能であり、プラグ組立体３０５０が、本体部３００２から離れるように、または、本体部３００２から外へ落ちないようになっている。追加的に、いくつかの実施形態では、開口部３０４９は、戻り止めが開口部３０４９を通過することができるようにサイズ決めされ得る。
【００８３】
いくつかの実施形態では、本体部３００２は、複数の戻り止め３００４を装備していることが可能である。複数の戻り止め３００４は、本体部３００２のプロングのうちの一方または両方上に位置付けられ得る。図３０に示されているように、本体部３００２は、第１の戻り止め３００５および第２の戻り止め３００７を含む。いくつかの実施形態では、複数の戻り止め３００４は、本体部３００２のプロングから内向きに延在することが可能である。追加的に、いくつかの実施形態では、複数の戻り止め３００４の戻り止めは、同じまたは同様の幾何学形状を有することが可能である。さらに、いくつかの実施形態では、複数の戻り止め３００４は、固定軸棒からのピンが戻り止めを通過することを可能にする貫通穴を含むことが可能である。
【００８４】
いくつかの実施形態では、戻り止めは、とりわけ、スプリングまたは他の機構と相互作用し、プラグ組立体３０５０を回転させることおよび固定することを支援するように形状決めされ得る。具体的には、第１の戻り止め３００５を参照すると、溝部が、第１の戻り止め３００５の側部表面の周りに延在することが可能である。示されているように、溝部３００９は、ピン３０８４がそれを通って延在する貫通穴に対して垂直の平面に沿って、第１の戻り止め３００５の周りに延在している。この溝部は、スプリングのための配置エリアを提供することが可能であり、これは、下記に詳細に説明されることになる。
【００８５】
いくつかの実施形態では、戻り止めは、使用の間にプラグ組立体３０５０を適切な場所にロックするように形状決めされ得る。示されているように、第１の戻り止め３００５は、湾曲した上側側部表面３０１１を含む。示されているように、上側側部表面３０１１は、上記に説明されているような溝部を含み、追加的に、円形経路に沿って湾曲しており、円形経路は、カバー３０５１の開口部３０４９の湾曲を模倣しているか、または、その湾曲と同様になっている。すなわち、上側側部表面３０１１の湾曲は、溝部３００９からの湾曲とは異なる平面に沿っている。この湾曲した表面は、プラグ組立体３０５０が本体部３００２と組み合わせられているときに、適切な位置へと回転するようにプラグ組立体３０５０を押すかまたは促すことを支援することが可能である。追加的に、いくつかの実施形態では、下側側部表面も湾曲していることが可能である。下側側部表面は、上側側部表面３０１１のものとは反対方向に面することが可能である。たとえば、上側側部表面３０１１は、本体部３００２の上側表面に向けて湾曲しており、一方、下側側部表面は、本体部３００２の上側表面から離れるように湾曲している。換言すれば、第１の戻り止め３００５の下側側部表面は、本体部３００２の下側表面に向けて湾曲している。追加的に、第１の戻り止め３００５は、実質的に平面的な中央側部表面を含む。たとえば、第１の中央側部表面３０１３は、実質的に平面的である。見ることができないが、第１の中央側部表面３０１３は、第２の中央側部表面に対して平行になっていることが可能である。さらに詳細に下記に説明されるように、プラグ組立体３０５０は、スプリングが第１の中央側部表面３０１３および第２の中央側部表面に沿って位置付けられているときに、安定したまたは固定された位置になることが可能である。
【００８６】
いくつかの実施形態では、本体部３００２の一部分は、電気的なシステムまたは回路を完成させるための接点を含むことが可能である。示されているように、第１の戻り止め３００５は、接点３０２１のセットを含む。いくつかの実施形態では、第２の戻り止め３００７が、また、同様の様式で配置されている接点のセットを含むことが可能である。接点３０２１のセットは、金属または他の導電材料から形成され得る。接点３０２１のセットは、コネクタ３０００を含むケーブルの残りの部分に電気的に接続され得る。したがって、接点３０２１のセットは、以前の実施形態を参照して説明されているような第１の複数の本体部接点５６８のものと同様に機能することが可能である。
【００８７】
ここで図３１を参照すると、プラグ組立体３０５０が、部分的に分解された図で示されている。示されているように、見やすくかつ説明しやすくするために、カバー３０５１がプラグ組立体３０５０の残りの部分から取り外されている。示されているように、プラグ組立体３０５０の内部態様が示されている。いくつかの実施形態では、プラグ組立体３０５０は、プラグ組立体のプラグを、本体部３００２に接続するための、および、延在部によって、コネクタ３０００が取り付けられているケーブルの残りの部分に接続するための機構を含むことが可能である。いくつかの実施形態では、静止接点が、プラグ組立体３０５０上で利用され得る。他の実施形態では、可動接点が利用され得る。図３１に示されているように、複数のポゴピン３０４０が、プラグ組立体３０５０のプラグと本体部３００２との間の電気接続部を提供するために利用され得る。いくつかの実施形態では、複数のポゴピン３０４０は、プリント回路基板と相互作用することが可能であり、一方、他の実施形態では、複数のポゴピン３０４０からの接点は、プラグ組立体３０５０のプラグのそれぞれに直接的に接続され得る。複数のポゴピン３０４０は、延長された位置になるように付勢され得る。延長された位置にあるときに、複数のポゴピン３０４０は、プラグ組立体３０５０のプラグへの電気接続部を提供しなくてもよい。圧縮されているときに、複数のポゴピン３０４０は、ポゴピンの一方の側からポゴピンの他方の側への電気接続部を提供するように構成され得る。
【００８８】
いくつかの実施形態では、複数のポゴピン３０４０は、特定のプラグに接続するように配置され得る。たとえば、複数のポゴピン３０４０は、第１のセットのポゴピン３０４１および第２のセットのポゴピン３０４３へと分離され得る。第１のセットのポゴピン３０４１は、第１のセットのポゴピン３０４１が押圧されているときに、第１のプラグ３００８に電気的に接続され得る。同様に、第２のセットのポゴピン３０４３は、第２のセットのポゴピンが押圧されているときに、第２のプラグ３０１０に電気的に接続され得る。ポゴピンを使用することは、プラグの接続と切り離しとの間の複数のサイクルを一貫したおよび信頼性のある様式で可能にすることができる。追加的に、ポゴピンを利用することによって、プラグ組立体３０５０の回転の間にピンによって行われる擦れの量が、他の実施形態と比較したときに低減され得る。ポゴピンは、押圧されているときに移動可能であり、いくつかの実施形態では、丸みを帯びているので、ポゴピンによって複数の戻り止め３００４のさまざまな部分に提供される摩擦の量は、ポゴピン接続機構を含まない実施形態と比較したときに、低減され得る。
【００８９】
いくつかの実施形態では、プラグ組立体３０５０は、プラグ組立体３０５０と本体部３００２との間の接続機構を提供するための手段を含むことが可能である。いくつかの実施形態では、プラグ組立体３０５０の一部分は、複数の戻り止め３００４と相互作用することが可能である。示されているように、プラグ組立体３０５０は、スプリング３０３０のセットを含むことが可能である。スプリング３０３０のセットは、第１のスプリング３０３１および第２のスプリング３０３２を含む。２つの別々のスプリングとして示されているが、スプリング３０３０のセットは、単一のスプリングから形成され得、または、追加的に、３つ以上のスプリングから形成され得る。具体的には、第１のスプリング３０３１を参照すると、第１のスプリング３０３１は、プラグ組立体３０５０の内部の一部分の周りに巻き付けられ得る。すなわち、第１のスプリング３０３１は、プラグ組立体３０５０のカバー３０５１と内部プラグヘッド３０５６との間を通ることが可能である。したがって、第１のスプリング３０３１は、カバー３０５１によって外れるまたは移動することを防止され得る。
【００９０】
いくつかの実施形態では、スプリングの幾何学形状は、スプリングを内部プラグヘッド３０５６に固定することを支援することが可能である。さらに、スプリングの幾何学形状は、プラグ組立体３０５０を本体部３００２に固定することを支援することが可能である。示されているように、第１のスプリング３０３１は、第１の長手方向の部分３０３３を含み、第１の長手方向の部分３０３３は、内部プラグヘッド３０５６の溝部の中で延在する。第１のスプリング３０３１の第２の長手方向の部分（見ることができない）は、第１の長手方向の部分３０３３から内部プラグヘッド３０５６の反対側に位置付けられ得る。第１の長手方向の部分３０３３および第２の長手方向の部分が、内部プラグヘッド３０５６を把持しまたは挟み込み、第１のスプリング３０３１が使用の間に外れるかまたは移動させられることを防止するように、第１のスプリング３０３１は曲げられるかまたは形状決めされ得る。第１の横方向部分３０３４および第２の横方向部分３０３５は、第１の長手方向の部分３０３３から内部プラグヘッド３０５６の側部表面に向けて延在している。いくつかの実施形態では、第１の横方向部分３０３４および第２の横方向部分３０３５は、互いに実質的に平行になっていることが可能である。他の実施形態では、第１の横方向部分３０３４および第２の横方向部分３０３５は、互いから離れるように、または、互いに向けて、角度付きになっていることが可能である。また、第１のスプリング３０３１は、内部プラグヘッド３０５６の反対側に位置付けられている第３の横方向部分および第４の横方向部分を含むことが可能である。追加的に、第１のスプリング３０３１は、第１の側部部分３０３６および第２の側部部分３０３７を含む。第１の側部部分３０３６は、第２の側部部分３０３７に対して実質的に平行になっていることが可能である。追加的に、第１の側部部分３０３６および第２の側部部分３０３７は、受け入れ孔３０３８に向けて内向きに付勢され得るかまたは位置決めされ得る。すなわち、第１の横方向部分３０３４および第２の横方向部分３０３５は、受け入れ孔３０３８に向けて第１のスプリング３０３１の側部部分を付勢するように位置決めされ得る。示されているように、第１の側部部分３０３６は、第１の横方向部分３０３４に対して実質的に垂直になっていることが可能である。追加的に、第２の側部部分３０３７は、また、第２の横方向部分３０３５に対して実質的に垂直になっていることが可能である。さらに、第１の側部部分３０３６および第２の側部部分３０３７は、第１のプラグ３００８または第２のプラグ３０１０のいずれかが本体部３００２に電気的に接続されているときに、プラグ組立体３０５０に対して垂直方向に延在することが可能である。また、第１の側部部分３０３６および第２の側部部分３０３７は、内部プラグヘッド３０５６の下側表面に沿って位置付けられている、第１のスプリング３０３１の第３の横方向部分および第４の横方向部分に接続することが可能である。
【００９１】
ここで図３２を参照すると、プラグ組立体３０５０が、本体部３００２とともに示されている。カバー３０５１は、見やすくかつ説明しやすくするために、この図から除去されている。示されているように、第１のスプリング３０３１の第１の側部部分３０３６および第２の側部部分３０３７は、第２の戻り止め３００７の平坦なまたは平面的な中央側部表面に沿って位置付けられている。第１の側部部分３０３６および第２の側部部分３０３７は、第１のスプリング３０３１が第２の戻り止め３００７の中の溝部から抜け落ちることを防止するのに十分な力によって、第２の戻り止め３００７の中央側部表面に向けて付勢され得る。すなわち、第１の側部部分３０３６および第２の側部部分３０３７は、第２の戻り止め３００７の中央側部表面を把持または圧迫することが可能である。
【００９２】
ここで図３３を参照すると、コネクタ３０００の切断部が示されている。この切断部は、第１の戻り止め３００５を通って、かつ、第２のスプリング３０３２の一部分を通って延在している。第１の戻り止め３００５および第２のスプリング３０３２は、説明をしやすくかつ見やすくするために、ハッチングによって示されてはいない。この位置において、接点３０２１のセットは、第３のセットのポゴピン３０６０（図示せず）に接触することが可能であり、第１のプラグ３００８が本体部３００２に電気的に接続されるようになっている。すなわち、第３のセットのポゴピン３０６０は、接点３０２１のセットと整列することが可能である。接点３０２１のセットは、第３のセットのポゴピン３０６０を圧縮することが可能であり、電気接続部が接点３０２１のセットから第３のセットのポゴピン３０６０を通って第１のプラグ３００８へ通るようになっている。追加的に、示されているような位置において、第４のセットのポゴピン３０６２は、接点３０２１のセットに接触していなくてもよい。したがって、第２のプラグ３０１０は、示されているような位置において、本体部３００２に電気的に接続されていなくてもよい。
【００９３】
第２のスプリング３０３２の第１の側部部分３０６３は、第１の戻り止め３００５の第１の中央側部表面３０１３と相互作用し、第２の側部部分３０６５は、第２の中央側部表面３０１５と相互作用する。このように第１の側部部分３０６３および第２の側部部分３０６５は、第１の戻り止め３００５を掴むまたは挟むことが可能である。この掴むことまたは挟むことは、プラグ組立体３０５０を本体部３００２に固定することを支援することが可能である。さらに、第１の中央側部表面３０１３および第２の中央側部表面３０１５の平坦なまたは平面的な表面は、ポゴピンが接点３０２１のセットと整列するように、プラグ組立体３０５０を適切な位置へとクリック嵌合させるかまたは部分的に固定することを支援することが可能である。
【００９４】
ここで図３４を参照すると、プラグ組立体３０５０は、部分的に回転させられている。この位置では、第１のプラグ３００８または第２のプラグ３０１０のいずれも、本体部３００２またはコネクタ３０００の残りの部分に電気的に接続されていない。それは、ポゴピンが本体部３００２の接点３０２１のセットと整列していないからである。示されているように、第３のセットのポゴピン３０６０または第４のセットのポゴピン３０６２のいずれも、接点３０２１のセットと整列していない。この位置において、第１の側部部分３０６３が第１の戻り止め３００５の上側側部表面３０１１に接触しているように、第２のスプリング３０３２の第１の側部部分３０６３は回転させられている。第２の側部部分３０６５は、第１の戻り止め３００５の反対側の下側側部表面に接触している。上側側部表面３０１１は、前述したように湾曲しているので、プラグ組立体３０５０は、図３３に示されているような以前の位置へ回転して戻るように付勢されるかまたは促され得る。したがって、ユーザがプラグ組立体３０５０を回転させるときに、ユーザは、スプリングおよび戻り止め機構からフィードバックを感じることが可能である。このフィードバックは、ユーザにとって有用である可能性があり、デバイスが使用のための準備状態になっていないということをユーザに知らせるようになっている。
【００９５】
ここで図３５を参照すると、第１の側部部分３０６３は、上側側部表面３０１１の湾曲した表面に沿って位置付けられている。この位置では、プラグ組立体３０５０は、容易に回転させられ得る。上側側部表面３０１１および反対側の下側側部表面は湾曲しているので、プラグ組立体３０５０を回転し続けさせるために、小さい量の力で十分である。この設計は、プラグ組立体３０５０が回転させられる時間の量を最小化することが可能であり、また、プラグ組立体３０５０の偶発的な回転を最小化することが可能である。追加的に、この位置では、第１のプラグ３００８または第２のプラグ３０１０のいずれも、本体部３００２に電気的に接続されていない。示されているように、第３のセットのポゴピン３０６０の単一のポゴピンが、接点３０２１のセットに部分的に接触することが可能である。追加的に、第４のセットのポゴピン３０６２の単一のピンが、接点３０２１のセットに部分的に接触することが可能である。いずれかのセットの単一のポゴピンのみが、接点３０２１のセットに接触しているので、完全な電気接続をなすことができない。たとえば、いくつかの実施形態では、あるセットの第１のポゴピンだけが、マイナスの充電に対応することが可能であり、第２のポゴピンは、プラスの充電に対応することが可能である。したがって、ポゴピンのうちの１つだけが接点３０２１のセットに接触している状態で、第３のセットのポゴピン３０６０または第４のセットのポゴピン３０６２のいずれも、回路を完成させることはできない。
【００９６】
ここで図３６および図３７を参照すると、プラグ組立体３０５０は、固定された位置へと回転していることが示されている。図３６に示されているように、第２のスプリング３０３２の第１の側部部分３０６３は、上側側部表面３０１１の下向き傾斜に沿って位置付けられている。上側側部表面３０１１の下向き傾斜は、プラグ組立体３０５０が図３７に示されているような位置へと回転するように促すことを支援することが可能である。さらに、プラグ組立体３０５０が、図３６に示されているような位置から図３７に示されているような位置へ移動するときに、プラグ組立体３０５０は、適切な場所へとスナップ嵌合またはクリック嵌合することが可能である。第１の中央側部表面３０１３および第２の中央側部表面３０１５の平坦なまたは平面的な側部は、第１の側部部分３０６３および第２の側部部分３０６５が第１の戻り止め３００５の溝部の中に固定して置かれることを可能にすることができる。
【００９７】
図３７に示されているように、接点３０２１のセットは、第４のセットのポゴピン３０６２と整列しており、第４のセットのポゴピン３０６２は、第２のプラグ３０１０と本体部３００２とを電気的に接続している。さらに、第３のセットのポゴピン３０６０は、接点３０２１のセットと整列しておらず、したがって、第１のプラグ３００８は、本体部３００２に電気的に接続されていない。したがって、図３７の位置では、第２のプラグ３０１０が、本体部３００２およびコネクタ３０００の残りの部分に電気的に接続されている。
【００９８】
さまざまな実施形態が説明されてきたが、その説明は、限定するものではなく、例示的なものであるということが意図されており、また、より多くの実施形態および実装形態が可能であり、それらは実施形態の範囲の中にあるということが当業者に明らかであることになる。任意の実施形態の任意の特徴は、具体的に制限されていない限り、任意の他の実施形態の中の任意の他の特徴もしくは要素と組み合わせて使用され得るか、または、それらと置換され得る。したがって、実施形態は、添付されている実用新案登録請求の範囲およびそれらの均等物を参照する場合を除いて、制限されるべきではない。また、さまざまな修正例および変形例は、添付されている実用新案登録請求の範囲の中で作製され得る。
【符号の説明】
【００９９】
１００    ケーブル
１０２    第１のコネクタ
１０４    第２のコネクタ
１０６    コード
１０８    第１のプラグ
１１０    第２のプラグ
１１２    第３のプラグ
２００    コンピュータ
２０２    第１のデバイス
２０４    第２のデバイス
５００    軸線
５０１    開口部、キャビティ
５０２    本体部
５０４    接続端部
５０６    第１のプロング
５０８    第２のプロング
５１０    距離
５１２    高さ
５１４    プラグヘッド
５１６    第１の表面
５１８    上側表面
５２０    第１の湾曲した表面
５２２    上側の湾曲した表面
５２３    ソケットアダプタ
５２４    上側の湾曲した表面
５２６    第２の表面
５２８    幅
５３０    幅
５３２    端部表面
５３４    端部表面
５３６    幅
５３８    高さ
５４０    高さ
５４２    長さ
５４４    内部部分
５４５    外部部分
５４６    上側表面
５４７    下側表面
５５０    プラグ組立体
５５２    第１の軸棒
５５３    第２の軸棒
５５６    複数の陥凹部
５６２    第１の開口部
５６３    第２の開口部
５６６    複数の延在部
５６８    第１の複数の本体部接点
５７０    第１の複数のプラグヘッド接点
５７２    第１の複数のプラグヘッド電気接続部
５７４    第１の複数の本体部電気接続部
５７６    第２の複数のヘッド接点
５７８    第２の複数の本体部接点
５８０    第２の複数のプラグヘッド電気接続部
５８２    第２の複数の本体部電気接続部
５９０    内部表面
５９２    内部表面
５９４    上側表面
９００    ケーブル
９０２    第１のコネクタ
９０４    第２のコネクタ
１０００    チャート
１１００    チャート
１１５０    チャート
１１５１    ケーブル
１１５２    第１のコネクタ
１１５３    第１のプラグ
１１５４    第２のコネクタ
１１５５    第２のプラグ
１１５６    第３のプラグ
１１５７    ケーブル
１１５８    第１のコネクタ
１１５９    第１のプラグ
１１６０    第２のプラグ
１１６１    第２のコネクタ
１１６２    第３のプラグ
１１６３    第４のプラグ
１１６４    ケーブル
１１６５    第１のコネクタ
１１６６    第１のプラグ
１１６７    第２のプラグ
１１６８    第２のコネクタ
１１６９    第３のプラグ
１１７０    第４のプラグ
１１７１    ケーブル
１１７２    第１のコネクタ
１１７３    第１のプラグ
１１７４    第２のプラグ
１１７５    第２のコネクタ
１１７６    第３のプラグ
１１７７    第４のプラグ
１１７８    ケーブル
１１７９    第１のコネクタ
１１８０    第１のプラグ
１１８１    第２のコネクタ
１１８２    第２のプラグ
１１８３    第３のプラグ
１１８４    ケーブル
１１８５    第１のコネクタ
１１８６    第１のプラグ
１１８７    第２のプラグ
１１８８    第２のコネクタ
１１８９    第３のプラグ
１１９０    第４のプラグ
１２００    コネクタ
１２０１    軸線
１２０２    本体部
１２０６    第１のプロング
１２０７    第２のプロング
１２０８    第１のプラグ
１２１０    第２のプラグ
１２１４    プラグヘッド
１２１６    第１の表面
１２１８    第１の上側表面
１２２０    第２の上側表面
１２２２    第２の表面
１２２４    端部表面
１２２６    隆起部分
１２２８    固定軸棒
１２３０    スプリング
１２３２    ヘッド
１２３４    ピン
１２３６    ピン受け入れ部分
１２３８    受け入れ孔
１２４０    側部表面
１２４２    凹んだ部分
１２４４    外側表面
１２４６    第１のセットの接点
１２４８    第２のセットの接点
１２５０    プラグ組立体
１２５２    陥凹部
１２５４    隆起部分
１２５５    内部側部表面
１２５６    孔
１２５８    突出部
１２６０    受け入れ接点
１２６２    突出部
１２６３    第１の表面
１２６４    第２の表面
１２６５    第３の表面
１２７２    陥凹部
１２７３    第１の表面
１２７４    第２の表面
１２７５    第３の表面
１３００    ケーブル
１３０２    雄型プラグ
１３０４    雌型ソケット
１３０６    Ｌｉｇｈｔｎｉｎｇ（登録商標）プラグ
１３０８    ３．５ミリメートルオーディオ雄型プラグ
２２００    コネクタ
２２０６    第１のプロング
２２０７    第２のプロング
２２１４    プラグヘッド
２２５０    プラグ組立体
２６０１    ケーブル
２６０２    コネクタ
２６０４    第１のプラグ
２６０６    第２のプラグ
２６０８    コード
２６１０    第１の部分
２６１２    第２の部分
２６１４    第２のコネクタ
２６１６    第３のコネクタ
３０００    コネクタ
３００２    本体部
３００４    複数の戻り止め
３００５    第１の戻り止め
３００７    第２の戻り止め
３００８    第１のプラグ
３００９    溝部
３０１０    第２のプラグ
３０１１    上側側部表面
３０１３    第１の中央側部表面
３０１５    第２の中央側部表面
３０２１    接点
３０２８    固定軸棒
３０３０    スプリング
３０３１    第１のスプリング
３０３２    第２のスプリング
３０３３    第１の長手方向の部分
３０３４    第１の横方向部分
３０３５    第２の横方向部分
３０３６    第１の側部部分
３０３７    第２の側部部分
３０３８    受け入れ孔
３０４０    複数のポゴピン
３０４１    第１のセットのポゴピン
３０４３    第２のセットのポゴピン
３０４９    開口部
３０５０    プラグ組立体
３０５１    カバー
３０５６    内部プラグヘッド
３０６０    第３のセットのポゴピン
３０６２    第４のセットのポゴピン
３０６３    第１の側部部分
３０６５    第２の側部部分
３０８４    ピン
【図１】
0003223610.tif 000003
【図２】
0003223610.tif 000004
【図３】
0003223610.tif 000005
【図４】
0003223610.tif 000006
【図５】
0003223610.tif 000007
【図６】
0003223610.tif 000008
【図７】
0003223610.tif 000009
【図８】
0003223610.tif 000010
【図９】
0003223610.tif 000011
【図１０】
0003223610.tif 000012
【図１１】
0003223610.tif 000013
【図１２】
0003223610.tif 000014
【図１３】
0003223610.tif 000015
【図１４】
0003223610.tif 000016
【図１５】
0003223610.tif 000017
【図１６】
0003223610.tif 000018
【図１７】
0003223610.tif 000019
【図１８】
0003223610.tif 000020
【図１９】
0003223610.tif 000021
【図２０】
0003223610.tif 000022
【図２１】
0003223610.tif 000023
【図２２】
0003223610.tif 000024
【図２３】
0003223610.tif 000025
【図２４】
0003223610.tif 000026
【図２５】
0003223610.tif 000027
【図２６】
0003223610.tif 000028
【図２７】
0003223610.tif 000029
【図２８】
0003223610.tif 000030
【図２９】
0003223610.tif 000031
【図３０】
0003223610.tif 000032
【図３１】
0003223610.tif 000033
【図３２】
0003223610.tif 000034
【図３３】
0003223610.tif 000035
【図３４】
0003223610.tif 000036
【図３５】
0003223610.tif 000037
【図３６】
0003223610.tif 000038
【図３７】
0003223610.tif 000039
【手続補正書】
【提出日】令和1年8月26日(2019.8.26)
【手続補正１】
【補正対象書類名】実用新案登録請求の範囲
【補正対象項目名】全文
【補正方法】変更
【補正の内容】
【実用新案登録請求の範囲】
【請求項１】
さまざまなデバイスを接続するためのケーブルであって、前記ケーブルは、
第１のコネクタおよび第２のコネクタと、前記第１のコネクタを前記第２のコネクタに接続するコードと、
を含み、
前記第１のコネクタは、本体部およびプラグ組立体を含み、
前記本体部は、前記コードに接続されている第１の端部と、反対側の第２の端部と、を有しており、
前記本体部は、Ｕ字形状になっており、第１のプロングおよび第２のプロングを含み、
前記プラグ組立体は、プラグヘッドと、第１のプラグと、第２のプラグと、を含み、
前記第１のプラグは、前記プラグヘッドに固定されており、前記第２のプラグは、前記プラグヘッドに固定されており、前記第１のプラグは、前記第２のプラグから、前記プラグヘッドの反対側に位置付けられており、
前記プラグ組立体は、前記本体部の前記第１のプロングと前記第２のプロングとの間に回転可能に固定されており、前記プラグ組立体が、軸線の周りに回転することができ、かつ前記第１のプロングおよび前記第２のプロングに対して横方向および垂直方向両方に移動することを制限され、
第１の位置において、前記第１のプラグは、前記本体部の境界を越えて延在しており、前記第２のプラグは、前記本体部の前記第１のプロングと前記第２のプロングとの間に位置付けられており、
第２の位置において、前記第２のプラグは、前記本体部の前記境界を越えて延在しており、前記第１のプラグは、前記本体部の前記第１のプロングと前記第２のプロングとの間に位置付けられており、
前記第１の位置において、前記第２のプラグは、前記第２のコネクタから電気的に切り離されている、ケーブル。
【請求項２】
前記ケーブルは、前記第１のプロング上の第１の開口部、および前記第２のプロング上の第２の開口部と、
前記プラグヘッド上の軸棒と、
をさらに含み、
前記軸棒は、前記第１の開口部および前記第２の開口部の中へ挿入されており、前記プラグ組立体が前記軸棒の周りに回転することができるようになっている、請求項１に記載のケーブル。
【請求項３】
前記第１のプラグは、上側表面および下側表面を含み、前記第１の位置では、前記上側表面が上向きに面しており、前記第２の位置では、前記上側表面が下向きに面している、請求項１に記載のケーブル。
【請求項４】
前記第１のプラグは、第１の幅を有しており、前記第２のプラグは、第２の幅を有しており、前記第１の幅は、前記第２の幅よりも大きい、請求項１に記載のケーブル。
【請求項５】
前記第１のプロングは、第１の上側表面を有しており、前記第２のプロングは、第２の上側表面を有しており、前記第１の位置では、前記プラグヘッドの第１の表面が、前記第１の上側表面および前記第２の上側表面と同一平面上にある、請求項１に記載のケーブル。
【請求項６】
前記第１のプロングは、少なくとも１つの戻り止めを含み、前記プラグヘッドは、前記少なくとも１つの戻り止めと相互作用する少なくとも１つの接続機構を含み、前記少なくとも１つの接続機構の一部分が、前記少なくとも１つの戻り止めの溝部の中に位置している、請求項１に記載のケーブル。
【請求項７】
さまざまなデバイスとともに使用するためのコネクタであって、前記コネクタは、本体部とプラグ組立体とを含み、
前記本体部は、
第１のプロングおよび第２のプロングであって、前記第１のプロングおよび前記第２のプロングは、互いから間隔を置いて配置されている、第１のプロングおよび第２のプロング
を含み、
前記プラグ組立体は、
第１の側部および反対側の第２の側部を備えたプラグヘッドであって、第１のプラグが、前記プラグヘッドの前記第１の側部に固定されており、第２のプラグが、前記プラグヘッドの前記第２の側部に固定されており、前記第１のプラグは、第１の上側表面を有している、プラグヘッド
を含み、
前記第１のプロングおよび前記第２のプロングは、前記プラグ組立体を回転可能に固定しており、前記プラグ組立体が、軸線の周りに回転することができ、かつ前記第１のプロングおよび前記第２のプロングに対して横方向および垂直方向両方に移動することを制限され、
第１の位置において、前記第１のプラグの前記第１の上側表面が、第１の方向に面しており、第２の位置において、前記第１のプラグの前記第１の上側表面が、反対の第２の方向に面している、コネクタ。
【請求項８】
前記プラグヘッドは、第３の側部および第４の側部をさらに含み、前記第１の側部は、前記第３の側部と前記第４の側部との間に延在しており、前記第１の側部が前記プラグヘッドの幅を画定するようになっており、前記プラグヘッドの前記幅は、前記第１のプロングと前記第２のプロングとの間の距離と実質的に同様になっている、請求項７に記載のコネクタ。
【請求項９】
前記プラグヘッドは、上側表面および反対側に面する下側表面をさらに含み、前記プラグヘッドの前記上側表面と前記プラグヘッドの前記下側表面との間の距離は、前記プラグヘッドの高さを画定しており、また、前記第１のプロングは、上側表面および下側表面を含み、前記第１のプロングの前記上側表面と前記第１のプロングの前記下側表面との間の距離は、前記第１のプロングの高さを画定しており、前記プラグヘッドの前記高さは、前記第１のプロングの前記高さと実質的に同じになっている、請求項８に記載のコネクタ。
【請求項１０】
前記プラグヘッドの前記上側表面は、前記第１のプロングの前記上側表面と同一平面上にある、請求項９に記載のコネクタ。
【請求項１１】
前記プラグヘッドは、第１の端部および第２の端部を備えた軸棒を含み、前記第１のプロングは、第１の孔を含み、前記第２のプロングは、第２の孔を含み、前記軸棒の前記第１の端部は、前記第１の孔の中へ挿入されており、前記軸棒の前記第２の端部は、前記第２の孔の中へ挿入されており、前記プラグ組立体は、前記軸棒の周りに回転可能である、請求項７に記載のコネクタ。
【請求項１２】
前記第１のプラグは、第１のセットのプラグヘッド接点に電気的に接続されており、前記第２のプラグは、第２のセットのプラグヘッド接点に電気的に接続されており、前記第１のプロングは、第１のセットの本体部接点を含み、前記第２のプロングは、第２のセットの本体部接点を含み、
前記第１の位置において、前記第１のセットのプラグヘッド接点は、前記第１のセットの本体部接点に電気的に接続されており、前記第１の位置において、前記第２のセットのプラグヘッド接点は、前記第１のセットの本体部接点および前記第２のセットの本体部接点の両方から電気的に切り離されている、請求項７に記載のコネクタ。
【請求項１３】
前記第１のセットのプラグヘッド接点は、前記第２のセットのプラグヘッド接点から前記プラグヘッドの反対側に位置付けられている、請求項１２に記載のコネクタ。
【請求項１４】
前記第１の位置において、前記第２のプラグは、前記第１のプロングと前記第２のプロングとの間の開口部の中に位置付けられており、前記第１のプロングの高さは、前記第２のプラグの高さよりも大きくなっており、前記コネクタの側面図において、前記第２のプラグが前記第１のプロングによって遮られるようになっている、請求項７に記載のコネクタ。